(57)【要約】  ＮＲにおけるＢＷＰスイッチングの場合のＵＣＩ用のリソースの決定に関連するユーザ機器、基地局、および無線通信方法を提供する。ユーザ機器は、第１の部分帯域（ＢＷＰ）から第２のＢＷＰへのＢＷＰスイッチング用のダウンリンク制御情報（ＤＣＩ）を、基地局からスロット内で受信するように動作する受信機と、第１のＢＷＰのＢＷＰスイッチング期間に送信されるアップリンク制御情報（ＵＣＩ）をドロップし、第２のＢＷＰまたは第３のＢＷＰの最も早い利用可能なスロットを決定するように動作する回路であって、ＢＷＰスイッチング期間は、ＢＷＰスイッチング用のＤＣＩが受信されるスロットから、ＤＣＩに従って第１のＢＷＰが切り替えられる第２のＢＷＰの開始までである、回路と、第２のＢＷＰまたは第３のＢＷＰの決定された最も早い利用可能なスロットで、ドロップされたＵＣＩを基地局に送信するように動作する送信機と、を備える。【選択図】図２
2021514552.tif 000002
【特許請求の範囲】
【請求項１】
第１の部分帯域（ＢＷＰ）から第２のＢＷＰへのＢＷＰスイッチング用のダウンリンク制御情報（ＤＣＩ）を、基地局からスロット内で受信するように動作する受信機と、
前記第１のＢＷＰのＢＷＰスイッチング期間に送信されるアップリンク制御情報（ＵＣＩ）をドロップし、前記第２のＢＷＰまたは第３のＢＷＰの最も早い利用可能なスロットを決定するように動作する回路であって、前記ＢＷＰスイッチング期間は、ＢＷＰスイッチング用の前記ＤＣＩが受信される前記スロットから、前記ＤＣＩに従って前記第１のＢＷＰが切り替えられる前記第２のＢＷＰの開始までである、回路と、
前記第２のＢＷＰまたは前記第３のＢＷＰの前記決定された最も早い利用可能なスロットで、前記ドロップされたＵＣＩを前記基地局に送信するように動作する送信機と、
を備える、ユーザ機器。
【請求項２】
前記第２のＢＷＰまたは前記第３のＢＷＰの前記最も早い利用可能なスロットは、規格で定められ、またはスロットフォーマットインジケータ（ＳＦＩ）によって指示され、および／または無線リソース制御（ＲＲＣ）によって設定される、
請求項１に記載のユーザ機器。
【請求項３】
前記ドロップされたＵＣＩは、前記第２のＢＷＰまたは前記第３のＢＷＰの前記最も早い利用可能なスロットにおいて物理アップリンク制御チャネル（ＰＵＣＣＨ）で送信されるか、または前記第２のＢＷＰまたは前記第３のＢＷＰの前記最も早い利用可能なスロットにおいて物理アップリンク共有チャネル（ＰＵＳＣＨ）に多重されて送信される、
請求項１に記載のユーザ機器。
【請求項４】
前記ドロップされたＵＣＩを前記第２のＢＷＰまたは前記第３のＢＷＰの前記最も早い利用可能なスロットで送信するための前記ＰＵＣＣＨのリソース位置は、ＲＲＣ設定、規格の仕様、物理ダウンリンク制御チャネル（ＰＤＣＣＨ）の制御チャネルエレメント（ＣＣＥ）インデックスによる暗黙的指示、ＤＣＩ内のハイブリッド自動再送要求−応答確認（ＨＡＲＱ−ＡＣＫ）リソースインジケータ（ＡＲＩ）による明示的指示、およびＵＥ  ＩＤのうちの１つまたは複数に従って決定される、
請求項３に記載のユーザ機器。
【請求項５】
前記ＤＣＩは、ダウンリンク（ＤＬ）アサインメント用またはアップリンク（ＵＬ）グラント用である、
請求項１に記載のユーザ機器。
【請求項６】
ＢＷＰスイッチング用の前記ＤＣＩは、前記第１のＢＷＰで受信される、
請求項１に記載のユーザ機器。
【請求項７】
ＢＷＰスイッチング用の前記ＤＣＩは第４のＢＷＰで受信され、前記第１のＢＷＰおよび前記第４のＢＷＰは同じスロットに対応する、
請求項１に記載のユーザ機器。
【請求項８】
前記第１のＢＷＰは第１のキャリア内にあり、前記第３のＢＷＰは第２のキャリア内にあり、前記第１のＢＷＰおよび前記第３のＢＷＰは同じスロットに対応する、
請求項１に記載のユーザ機器。
【請求項９】
前記第３のＢＷＰで受信されるＢＷＰスイッチング用のＤＣＩは存在せず、ならびに／あるいは前記第１のＢＷＰおよび前記第３のＢＷＰの一方はＳｃｅｌｌに使用され、他方はＰｃｅｌｌまたは設定済みセルに使用され、ならびに／あるいは前記第１のＢＷＰおよび前記第３のＢＷＰの一方が使用される前記セルは補助ＵＬ（ＳＵＬ）である、
請求項８に記載のユーザ機器。
【請求項１０】
前記ＢＷＰスイッチング期間の全てのスロットは、ＢＷＰスイッチングに使用される、
請求項１に記載のユーザ機器。
【請求項１１】
前記ＢＷＰスイッチング期間においてＢＷＰスイッチングに使用されないスロットで送信されるＵＣＩは、前記ユーザ機器によってドロップされず、
前記ＢＷＰスイッチング期間におけるＢＷＰスイッチングに使用されるスロットの数は、規格で定められるか、または前記ユーザ機器のＢＷＰスイッチングの能力に基づいて設定される、
請求項１に記載のユーザ機器。
【請求項１２】
第１の部分帯域（ＢＷＰ）から第２のＢＷＰへのＢＷＰスイッチング用のダウンリンク制御情報（ＤＣＩ）を、ユーザ機器にスロット内で送信するように動作する送信機と、
前記ユーザ機器から前記第２のＢＷＰまたは第３のＢＷＰの最も早い利用可能なスロットでアップリンク制御情報（ＵＣＩ）を受信するように動作する受信機と、
前記ＵＣＩを復号するように動作する回路と、
を備え、
前記第１のＢＷＰのＢＷＰスイッチング期間に送信される前記ＵＣＩは前記ユーザ機器によってドロップされ、前記第２のＢＷＰまたは前記第３のＢＷＰの前記最も早い利用可能なスロットは前記ユーザ機器によって決定され、前記ＢＷＰスイッチング期間は、ＢＷＰスイッチング用の前記ＤＣＩが前記ユーザ機器によって受信される前記スロットから、前記ＤＣＩに従って前記第１のＢＷＰが切り替えられる前記第２のＢＷＰの開始までである、
基地局。
【請求項１３】
前記第２のＢＷＰまたは前記第３のＢＷＰの前記最も早い利用可能なスロットは、規格で定められ、またはスロットフォーマットインジケータ（ＳＦＩ）によって指示され、および／または無線リソース制御（ＲＲＣ）によって設定される、
請求項１２に記載の基地局。
【請求項１４】
前記ドロップされたＵＣＩは、前記第２のＢＷＰまたは前記第３のＢＷＰの前記最も早い利用可能なスロットにおいて物理アップリンク制御チャネル（ＰＵＣＣＨ）で送信されるか、または前記第３のＢＷＰの前記最も早い利用可能なスロットにおいて物理アップリンク共有チャネル（ＰＵＳＣＨ）に多重されて送信される、
請求項１２に記載の基地局。
【請求項１５】
第１の部分帯域（ＢＷＰ）から第２のＢＷＰへのＢＷＰスイッチング用のダウンリンク制御情報（ＤＣＩ）を、基地局からスロット内で受信するステップと、
前記第１のＢＷＰのＢＷＰスイッチング期間に送信されるアップリンク制御情報（ＵＣＩ）をドロップするステップ、および前記第２のＢＷＰまたは第３のＢＷＰの最も早い利用可能なスロットを決定するステップであって、前記ＢＷＰスイッチング期間は、ＢＷＰスイッチング用の前記ＤＣＩが受信される前記スロットから、前記ＤＣＩに従って前記第１のＢＷＰが切り替えられる前記第２のＢＷＰの開始までである、ドロップするステップおよび決定するステップと、
前記第２のＢＷＰまたは前記第３のＢＷＰの前記決定された最も早い利用可能なスロットで、前記ドロップされたＵＣＩを前記基地局に送信するステップと、
を含む、
ユーザ機器のための無線通信方法。
【請求項１６】
第１の部分帯域（ＢＷＰ）から第２のＢＷＰへのＢＷＰスイッチング用のダウンリンク制御情報（ＤＣＩ）を、ユーザ機器にスロット内で送信するステップと、
前記ユーザ機器から前記第２のＢＷＰまたは第３のＢＷＰの最も早い利用可能なスロットでアップリンク制御情報（ＵＣＩ）を受信するステップと、
前記ＵＣＩを復号するステップと、
を含み、
前記第１のＢＷＰのＢＷＰスイッチング期間に送信される前記ＵＣＩは前記ユーザ機器によってドロップされ、前記第２のＢＷＰまたは前記第３のＢＷＰの前記最も早い利用可能なスロットは前記ユーザ機器によって決定され、前記ＢＷＰスイッチング期間は、ＢＷＰスイッチング用の前記ＤＣＩが前記ユーザ機器によって受信される前記スロットから、前記ＤＣＩに従って前記第１のＢＷＰが切り替えられる前記第２のＢＷＰの開始までである、
基地局のための無線通信方法。
【発明の詳細な説明】
【技術分野】
【０００１】
本開示は無線通信の分野に関し、より詳細には、ＮＲ（新しい無線アクセス技術：Ｎｅｗ  Ｒａｄｉｏ  ａｃｃｅｓｓ  ｔｅｃｈｎｏｌｏｇｙ）における部分帯域（ＢＷＰ：Ｂａｎｄｗｉｄｔｈ  ｐａｒｔ）スイッチングの場合のアップリンク制御情報（ＵＣＩ：Ｕｐｌｉｎｋ  Ｃｏｎｔｒｏｌ  Ｉｎｆｏｒｍａｔｉｏｎ）用のリソースの決定に関連するユーザ機器（ＵＥ：ｕｓｅｒ  ｅｑｕｉｐｍｅｎｔ）、基地局（ｇＮＢ）および無線通信方法に関する。
【背景技術】
【０００２】
ＢＷＰはＮＲで定められた新たな概念であり、キャリアの周波数領域内の１つまたは複数の連続した物理リソースブロック（ＰＲＢ：Ｐｈｙｓｉｃａｌ  Ｒｅｓｏｕｒｃｅ  Ｂｌｏｃｋ）で構成される。したがって、ＢＷＰはキャリアの細分化と見なされ得る。特定のユーザ機器（ＵＥ）について、これはキャリア内の複数のＢＷＰを使用して構成することができる。現在のＮＲの仕様では、ＢＷＰの動的スイッチングがサポートされている。
【発明の概要】
【発明が解決しようとする課題】
【０００３】
１つの非限定的かつ例示的な実施形態は、ＮＲにおけるＢＷＰスイッチングの場合のＵＣＩ用のリソースの決定を容易にして、フィードバック遅延を短縮し、システムのパフォーマンスを改善する。
【課題を解決するための手段】
【０００４】
本開示の第１の一般的な態様では、第１の部分帯域（ＢＷＰ）から第２のＢＷＰへのＢＷＰスイッチング用のダウンリンク制御情報（ＤＣＩ：Ｄｏｗｎｌｉｎｋ  Ｃｏｎｔｒｏｌ  Ｉｎｆｏｒｍａｔｉｏｎ）を、基地局からスロット内で受信するように動作する受信機と、第１のＢＷＰのＢＷＰスイッチング期間に送信されるアップリンク制御情報（ＵＣＩ）をドロップし、第２のＢＷＰまたは第３のＢＷＰの最も早い利用可能なスロットを決定するように動作する回路であって、ＢＷＰスイッチング期間は、ＢＷＰスイッチング用のＤＣＩが受信されるスロットから、ＤＣＩに従って第１のＢＷＰが切り替えられる第２のＢＷＰの開始までである、回路と、第２のＢＷＰまたは第３のＢＷＰの決定された最も早い利用可能なスロットで、ドロップされたＵＣＩを基地局に送信するように動作する送信機と、を備える、ユーザ機器を提供する。
【０００５】
本開示の第２の一般的な態様では、第１の部分帯域（ＢＷＰ）から第２のＢＷＰへのＢＷＰスイッチング用のダウンリンク制御情報（ＤＣＩ）を、ユーザ機器にスロット内で送信するように動作する送信機と、ユーザ機器から第２のＢＷＰまたは第３のＢＷＰの最も早い利用可能なスロットでアップリンク制御情報（ＵＣＩ）を受信するように動作する受信機と、ＵＣＩを復号するように動作する回路と、を備え、第１のＢＷＰのＢＷＰスイッチング期間に送信されるＵＣＩはユーザ機器によってドロップされ、第２または第３のＢＷＰの最も早い利用可能なスロットはユーザ機器によって決定され、ＢＷＰスイッチング期間は、ＢＷＰスイッチング用のＤＣＩがユーザ機器によって受信されるスロットから、ＤＣＩに従って第１のＢＷＰが切り替えられる第２のＢＷＰの開始までである、基地局を提供する。
【０００６】
本開示の第３の一般的な態様では、第１の部分帯域（ＢＷＰ）から第２のＢＷＰへのＢＷＰスイッチング用のダウンリンク制御情報（ＤＣＩ）を、基地局からスロット内で受信するステップと、第１のＢＷＰのＢＷＰスイッチング期間に送信されるアップリンク制御情報（ＵＣＩ）をドロップするステップ、および第２のＢＷＰまたは第３のＢＷＰの最も早い利用可能なスロットを決定するステップであって、ＢＷＰスイッチング期間は、ＢＷＰスイッチング用のＤＣＩが受信されるスロットから、ＤＣＩに従って第１のＢＷＰが切り替えられる第２のＢＷＰの開始までである、ドロップするステップおよび決定するステップと、第２のＢＷＰまたは第３のＢＷＰの決定された最も早い利用可能なスロットで、ドロップされたＵＣＩを基地局に送信するステップと、を含む、ユーザ機器のための無線通信方法を提供する。
【０００７】
本開示の第４の一般的な態様では、第１の部分帯域（ＢＷＰ）から第２のＢＷＰへのＢＷＰスイッチング用のダウンリンク制御情報（ＤＣＩ）を、ユーザ機器にスロット内で送信するステップと、ユーザ機器から第２のＢＷＰまたは第３のＢＷＰの最も早い利用可能なスロットでアップリンク制御情報（ＵＣＩ）を受信するステップと、ＵＣＩを復号するステップと、を含み、第１のＢＷＰのＢＷＰスイッチング期間に送信されるＵＣＩはユーザ機器によってドロップされ、第２または第３のＢＷＰの最も早い利用可能なスロットはユーザ機器によって決定され、ＢＷＰスイッチング期間は、ＢＷＰスイッチング用のＤＣＩがユーザ機器によって受信されるスロットから、ＤＣＩに従って第１のＢＷＰが切り替えられる第２のＢＷＰの開始までである、基地局のための無線通信方法を提供する。
【０００８】
一般的なまたは特定の実施形態は、システム、方法、集積回路、コンピュータプログラム、記憶媒体、またはそれらの任意の選択的な組み合わせとして実装され得ることに留意されたい。
【０００９】
開示する実施形態のさらなる利益および利点は、本明細書および図面から明らかになろう。利益および／または利点は、本明細書および図面の様々な実施形態および特徴によって個別に得ることができ、それら全てが、そのような利益および／または利点のうちの１つまたは複数を得るために提供される必要はない。
【００１０】
本開示の前述のおよび他の特徴は、添付図面と併せて、以下の説明および添付の特許請求の範囲からより完全に明らかになろう。これらの図面が、本開示によるいくつかの実施形態のみを示しており、したがって、その範囲を限定するものと見なされるべきではないことを踏まえて、添付図面を使用して、本開示をさらに具体的かつ詳細に説明する。
【図面の簡単な説明】
【００１１】
【図１】ＢＷＰスイッチングの場合のＨＡＲＱ−ＡＣＫドロップの例示的なシナリオを概略的に示す図である。
【図２】本開示の一実施形態によるユーザ機器の一部のブロック図である。
【図３】本開示の一実施形態による、ＢＷＰスイッチングの場合のＨＡＲＱ−ＡＣＫドロップの例示的なシナリオを概略的に示す図である。
【図４】本開示の一実施形態による、ＢＷＰスイッチングの場合のＨＡＲＱ−ＡＣＫドロップの他の例示的なシナリオを概略的に示す図である。
【図５】図４のスロットＮ＋５におけるＰＵＣＣＨの配置を概略的に示す図である。
【図６】本開示の一実施形態による、ＢＷＰスイッチングの場合のＨＡＲＱ−ＡＣＫドロップの他の例示的なシナリオを概略的に示す図である。
【図７】本開示の一実施形態による、ＢＷＰスイッチングの場合のＨＡＲＱ−ＡＣＫドロップの他の例示的なシナリオを概略的に示す図である。
【図８】本開示の一実施形態による、ＢＷＰスイッチングの場合のＨＡＲＱ−ＡＣＫドロップの他の例示的なシナリオを概略的に示す図である。
【図９】本開示の一実施形態による、ＢＷＰスイッチングの場合のＣＳＩドロップの例示的なシナリオを概略的に示す図である。
【図１０】本開示の一実施形態による基地局の一部のブロック図である。
【図１１】本開示の一実施形態によるユーザ機器の詳細のブロック図である。
【図１２】本開示の一実施形態による基地局の詳細のブロック図である。
【図１３】本開示の一実施形態による、基地局とユーザ機器との間の通信のフローチャートの一例を概略的に示す図である。
【図１４】本開示の一実施形態によるユーザ機器のための無線通信方法のフローチャートである。
【図１５】本開示の一実施形態による基地局のための無線通信方法のフローチャートである。
【発明を実施するための形態】
【００１２】
以下の詳細な説明では、添付図面を参照し、添付図面はその一部を形成する。図面では、文脈が別途示さない限り、類似の記号は一般に類似の構成要素を識別する。本開示の態様は、多種多様な異なる構成で配置、置換、組み合わせ、および設計することができ、これらは全て明確に企図されており、本開示の一部をなすことが容易に理解されよう。
【００１３】
最新の仕様３８．２１３＿ｖ２．０．０では、「ペアの周波数帯（ｐａｉｒｅｄ  ｓｐｅｃｔｒｕｍ）の動作では、ＤＣＩフォーマット１＿１の検出時と、対応するＨＡＲＱ−ＡＣＫの送信時との間にＵＥがそのアクティブなＵＬ  ＢＷＰを変更する場合、ＵＥがＨＡＲＱ−ＡＣＫを送信することは想定されていない」と定められている。この挙動により、ハイブリッド自動再送要求−応答確認（ＨＡＲＱ−ＡＣＫ：Ｈｙｂｒｉｄ  Ａｕｔｏｍａｔｉｃ  Ｒｅｐｅａｔ  ｒｅｑｕｅｓｔ−Ａｃｋｎｏｗｌｅｄｇｅｍｅｎｔ）ドロップが原因でパフォーマンスが低下する。規格にはペアの周波数帯の場合のみが記載されているが、上記の挙動は同じ理由で、非ペアの周波数帯（ｕｎｐａｉｒｅｄ  ｓｐｅｃｔｒｕｍ）の場合にも当てはまるであろう。図１に、非ペアの周波数帯を例にとった、ＢＷＰスイッチングの場合のＨＡＲＱ−ＡＣＫドロップの例示的なシナリオを概略的に示す。図１において、「Ｔ」で示す横軸は時間軸を表し、「Ｆ」で示す縦軸は周波数軸を表している。時間軸に沿って、Ｎ−１、Ｎ、Ｎ＋１、．．．、Ｎ＋１０で示す太線の箱はスロットを表す。周波数軸に沿って「ＢＷＰ１」および「ＢＷＰ２」によって示すように、１つのキャリアに２つのＢＷＰが存在すると仮定する。さらに、左上から右下への斜線（ｌｅｆｔ  ｓｌａｓｈ）で塗りつぶされた箱は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を表し、右上から左下への斜線（ｒｉｇｈｔ  ｓｌａｓｈ）で塗りつぶされた箱は物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を表す。
【００１４】
図１に示すように、ＵＥはスロットＮ−１およびＮにおいてＰＤＳＣＨを受信している。スケジュールされたダウンリンク制御情報（ＤＣＩ）で指示されるタイミングに基づいて、ＵＥはスロットＮ＋２およびＮ＋３それぞれにおいて、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）によってＨＡＲＱ−ＡＣＫをフィードバックすることになっている。ここで、タイミングは図１にＫ１で示しており、これは、スロットＮ−１からスロットＮ＋２への矢印、およびスロットＮからスロットＮ＋３への矢印で示すように、ＰＤＳＣＨからＨＡＲＱ−ＡＣＫへのタイミングを意味する。しかしながら、ＵＥはスロットＮ＋１でＢＷＰスイッチング用ＤＣＩを受信しているので、ＮＲの現在の仕様に従って、ＢＷＰスイッチング期間のスロットＮ＋１からＮ＋４までの全てを、ＢＷＰスイッチングの準備に使用する必要がある。したがって、ＢＷＰスイッチングの準備のため、スロットＮ＋２およびＮ＋３で本来送信されるＨＡＲＱ−ＡＣＫをドロップする必要がある。この場合、これらのＨＡＲＱ−ＡＣＫは受信されないので、基地局（ＢＳ：Ｂａｓｅ  Ｓｔａｔｉｏｎ）は、ＢＷＰ２でＰＤＳＣＨを再送する可能性があり、これは総スループットに影響を与え、パフォーマンスの低下を引き起こす。
【００１５】
上記の問題を解決するために、１つの従来技術の方法は、ＢＷＰ２において、ＢＷＰスイッチング用ＤＣＩ（ダウンリンク（ＤＬ：Ｄｏｗｎｌｉｎｋ）アサインメントまたはアップリンク（ＵＬ：Ｕｐｌｉｎｋ）グラント）で指示されるタイミングに基づいて決定されるスロットで、ドロップされたＨＡＲＱ−ＡＣＫを送信する。しかしながら、この従来技術の方法では、ＨＡＲＱ−ＡＣＫの遅延は長くなり得、ペアの周波数帯の場合の処理方法が不明である。
【００１６】
上記を鑑みて、本開示の一実施形態では、図２に示すユーザ機器を提供する。図２に、本開示の一実施形態によるユーザ機器２００の一部のブロック図を示す。図２に示すように、ＵＥ２００は、受信機２１０、回路２２０および送信機２３０を含み得る。受信機２１０は、第１のＢＷＰから第２のＢＷＰへの部分帯域（ＢＷＰ）スイッチング用のダウンリンク制御情報（ＤＣＩ）を、基地局からスロット内で受信するように動作する。回路２２０は、第１のＢＷＰのＢＷＰスイッチング期間に送信されるアップリンク制御情報（ＵＣＩ）をドロップし、第２のＢＷＰまたは第３のＢＷＰの最も早い利用可能なスロットを決定するように動作する。ＢＷＰスイッチング期間は、ＢＷＰスイッチング用のＤＣＩが受信されるスロットから、ＤＣＩに従って第１のＢＷＰが切り替えられる第２のＢＷＰの開始までである。送信機２３０は、第２のＢＷＰまたは第３のＢＷＰの決定された最も早い利用可能なスロットで、ドロップされたＵＣＩを基地局に送信するように動作する。
【００１７】
具体的には、理解を容易にするために、再び図１を参照されたい。図１において、第１のＢＷＰはＢＷＰ１である。前述のように、ＵＥはＢＷＰスイッチング用のＤＣＩをＢＷＰ１のスロットＮ＋１においてＢＳから受信する。図１に示すように、ＢＷＰスイッチング用のＤＣＩを受信するスロットはスロットＮ＋１であり、ＢＷＰはスロットＮ＋５においてＢＷＰ１からＢＷＰ２に切り替えられる。したがって、第２のＢＷＰはＢＷＰ２であり、ＢＷＰスイッチング期間はスロットＮ＋１からスロットＮ＋４までであり、これはスロットＮ＋５の直前のスロットである。ここでは、ＢＷＰスイッチング期間（スロットＮ＋１からスロットＮ＋４まで）内のスロットＮ＋２およびＮ＋３は、ＵＥによってＢＷＰスイッチングの準備に使用される必要があると仮定しているので、スロットＮ＋２およびＮ＋３で本来送信されるＨＡＲＱ−ＡＣＫはドロップされる。本開示によれば、ドロップされたＨＡＲＱ−ＡＣＫは、ＢＷＰ２の最も早い利用可能なスロット、たとえば、スロットＮ＋５で送信され得る。明らかに、スロットＮ＋５はスロットＮ＋２およびＮ＋３より後である。
【００１８】
加えて、ＮＲの現在の仕様では、ＢＷＰスイッチング期間の全てのスロットがＢＷＰスイッチングの準備に使用され、ＵＣＩを送信しないように定められているが、実際には、ＢＷＰスイッチングの準備には、それほど多くのスロットが必要ない場合がある。したがって、ＢＷＰスイッチング期間においてＢＷＰスイッチングの準備用でないスロットで本来送信されるＵＣＩはドロップされる必要がなく、これについては後で詳細に説明する。
【００１９】
さらに、ドロップされたＵＣＩは、第２のＢＷＰで送信されるだけでなく、第３のＢＷＰでも送信され得、これについては後で詳細に説明する。
【００２０】
図２に示すユーザ機器２００では、ＢＷＰスイッチングの場合に、本来のＢＷＰとは異なる新たなＢＷＰの最も早い利用可能なスロットを使用して、本来のＢＷＰで本来送信されるドロップされたＵＣＩを送信するので、フィードバック遅延が短縮され得、システムのパフォーマンスが改善され得る。
【００２１】
本開示の一実施形態によれば、図２に示すＵＥ２００において、第２のＢＷＰまたは第３のＢＷＰの最も早い利用可能なスロットは、規格で定められ、またはスロットフォーマットインジケータ（ＳＦＩ：ｓｌｏｔ  ｆｏｒｍａｔ  ｉｎｄｉｃａｔｏｒ）によって指示され、および／または無線リソース制御（ＲＲＣ：Ｒａｄｉｏ  Ｒｅｓｏｕｒｃｅ  Ｃｏｎｔｒｏｌ）によって設定される。
【００２２】
具体的には、第２のＢＷＰまたは第３のＢＷＰの最も早い利用可能なスロットは規格で定められ得、たとえば、第２のＢＷＰまたは第３のＢＷＰの最初のスロット（たとえば、図１のＢＷＰ２のスロットＮ＋５）として定められ得る。代替的には、第２のＢＷＰまたは第３のＢＷＰの最も早い利用可能なスロットは、ＢＳからのＲＲＣによって設定され得る。あるいは、第２のＢＷＰまたは第３のＢＷＰの最も早い利用可能なスロットはまた、ＳＦＩに依存し得る。たとえば、スロットＮ＋５のＳＦＩが、現在のスロットが全てＤＬシンボルであり、ＰＵＣＣＨを送信できないことを示している場合、ＰＵＣＣＨのＵＬシンボルを有し得る次のスロット（スロットＮ＋６）は、ＰＵＣＣＨの送信に使用することができ、すなわち、第２のＢＷＰの最も早い利用可能なスロットとして機能する。明らかに、第２のＢＷＰまたは第３のＢＷＰの最も早い利用可能なスロットは、ＲＲＣとＳＦＩとの組み合わせに基づいて決定され得る。たとえば、第２のＢＷＰまたは第３のＢＷＰの最も早い利用可能なスロットとして機能し得るスロットの範囲は、ＲＲＣによって設定され得、その範囲の１つのスロットは、ＳＦＩによって第３のＢＷＰの最も早い利用可能なスロットとして指示され得る。
【００２３】
第２のＢＷＰまたは第３のＢＷＰの最も早い利用可能なスロットは、第２のＢＷＰまたは第３のＢＷＰの最初のスロットに限定されず、代わりに、特定の状況に応じて他の任意の適切なスロットであり得る。ことに留意されたい。
【００２４】
本開示の一実施形態によれば、図２に示すＵＥ２００において、ＢＷＰスイッチング期間の全てのスロットが、ＢＷＰスイッチングに使用される。
【００２５】
具体的には、上述のように、ＮＲの現在の仕様では、ＢＷＰスイッチング期間の全てのスロットがＢＷＰスイッチングの準備に使用され、ＵＣＩを送信しないように定められている。したがって、ＮＲの現在の仕様を鑑みて、本開示を最初に以下のようないくつかの例によって説明する。
【００２６】
図３に、本開示の一実施形態による、ＢＷＰスイッチングの場合のＨＡＲＱ−ＡＣＫドロップの例示的なシナリオを概略的に示す。図３において、「Ｔ」で示す横軸は時間軸を表し、「Ｆ」で示す縦軸は周波数軸を表している。時間軸に沿って、Ｎ−１、Ｎ、Ｎ＋１、．．．、Ｎ＋１０で示す太線の箱はスロットを表す。周波数軸に沿って「ＢＷＰ１」および「ＢＷＰ２」によって示すように、１つのキャリアに２つのＢＷＰが存在すると仮定する。さらに、左上から右下への斜線で塗りつぶされた箱はＰＤＳＣＨを表し、右上から左下への斜線で塗りつぶされた箱はＰＤＣＣＨを表し、縦線で塗りつぶされた箱はＰＵＣＣＨを表し、交差線で塗りつぶされた箱はＨＡＲＱ−ＡＣＫを表す。
【００２７】
図３に示すように、ＵＥはスロットＮ−１およびＮにおいてＰＤＳＣＨを受信している。スケジュールされたＤＣＩで指示されるタイミングに基づいて、ＵＥはスロットＮ＋２およびＮ＋３それぞれにおいて、ＰＵＣＣＨによってＨＡＲＱ−ＡＣＫをフィードバックすることになっている。ここで、タイミングは図３にＫ１で示しており、これは、スロットＮ−１からスロットＮ＋２への矢印、およびスロットＮからスロットＮ＋３への矢印で示すように、ＰＤＳＣＨからＨＡＲＱ−ＡＣＫへのタイミングを意味する。しかしながら、ＵＥはスロットＮ＋１でＢＷＰスイッチング用のＤＣＩを受信しているので、ＮＲの現在の仕様に従って、ＢＷＰスイッチング期間のスロットＮ＋１からＮ＋４までの全てを、無線周波数（ＲＦ：Ｒａｄｉｏ  Ｆｒｅｑｕｅｎｃｙ）またはベースバンドのＢＷＰスイッチングの準備に使用する必要がある。したがって、スロットＮ＋２およびＮ＋３のＨＡＲＱ−ＡＣＫの２つの×印で示すように、スロットＮ＋２およびＮ＋３で本来送信されるＨＡＲＱ−ＡＣＫをドロップする必要がある。
【００２８】
また、スロットＮ＋１からスロットＮ＋６への矢印で示すように、スロットＮ＋１のＢＷＰスイッチング用のＤＣＩによって、スロットＮ＋６でＰＤＳＣＨがスケジュールされると仮定する。そのようなタイミングをＫ０と呼び、ＰＤＣＣＨからＰＤＳＣＨへのタイミングを意味する。これはまた、スロットＮ＋１のＢＷＰスイッチング用のＤＣＩがＤＬアサインメントに使用されることを意味する。さらに、スロットＮ＋６からスロットＮ＋９への矢印で示すタイミングＫ１（ＰＤＳＣＨ−＞ＰＵＣＣＨ）に基づいて、ＵＥはスロットＮ＋６のＰＤＳＣＨについて、スロットＮ＋９においてＰＵＣＣＨによってＨＡＲＱ−ＡＣＫをフィードバックする必要がある。
【００２９】
本開示によれば、ＢＷＰ２の最も早い利用可能なスロットはスロットＮ＋５であるので、スロットＮ＋２およびＮ＋３からドロップされたＨＡＲＱ−ＡＣＫは、弧の矢印で示すように、スロットＮ＋５においてＰＵＣＣＨによって送信される。しかしながら、従来技術の方法によれば、スロットＮ＋１のＢＷＰスイッチング用のＤＣＩでスケジュールされたタイミング（すなわち、Ｋ０（ＰＤＣＣＨ−＞ＰＤＳＣＨ））に基づいて、スロットＮ＋２およびＮ＋３からドロップされたＨＡＲＱ−ＡＣＫは、スロットＮ＋９においてＰＵＣＣＨによって送信される。したがって、本開示によれば、ＢＷＰスイッチング用のＤＣＩでスケジュールされたタイミングに影響を与えることなく、フィードバック遅延を短縮することができる。
【００３０】
図４に、本開示の一実施形態による、ＢＷＰスイッチングの場合のＨＡＲＱ−ＡＣＫドロップの他の例示的なシナリオを概略的に示す。図４において、「Ｔ」で示す横軸は時間軸を表し、「Ｆ」で示す縦軸は周波数軸を表している。時間軸に沿って、Ｎ−１、Ｎ、Ｎ＋１、．．．、Ｎ＋１０で示す太線の箱はスロットを表す。周波数軸に沿って「ＢＷＰ１」および「ＢＷＰ２」によって示すように、１つのキャリアに２つのＢＷＰが存在すると仮定する。さらに、左斜線で塗りつぶされた箱はＰＤＳＣＨを表し、右斜線で塗りつぶされた箱はＰＤＣＣＨを表し、縦線で塗りつぶされた箱はＰＵＣＣＨを表し、交差線で塗りつぶされた箱はＨＡＲＱ−ＡＣＫを表し、横線で塗りつぶされた箱はＰＵＳＣＨを表す。
【００３１】
図３と同様に、図４では、ＵＥはスロットＮ−１およびＮにおいてＰＤＳＣＨを受信している。スケジュールされたＤＣＩに示されるタイミング（Ｋ１（ＰＤＳＣＨ−＞ＨＡＲＱ−ＡＣＫ））に基づいて、ＵＥはスロットＮ＋２およびＮ＋３それぞれにおいて、ＰＵＣＣＨによってＨＡＲＱ−ＡＣＫをフィードバックすることになっている。しかしながら、ＵＥはスロットＮ＋１でＢＷＰスイッチング用のＤＣＩを受信しているので、ＮＲの現在の仕様に従って、ＢＷＰスイッチング期間のスロットＮ＋１からＮ＋４までの全てを、無線周波数（ＲＦ）またはベースバンドのＢＷＰスイッチングの準備に使用する必要がある。したがって、スロットＮ＋２およびＮ＋３のＨＡＲＱ−ＡＣＫの２つの×印で示すように、スロットＮ＋２およびＮ＋３で本来送信されるＨＡＲＱ−ＡＣＫをドロップする必要がある。
【００３２】
また、スロットＮ＋１からスロットＮ＋７への矢印で示すように、スロットＮ＋１のＢＷＰスイッチング用のＤＣＩによって、スロットＮ＋７でＰＵＳＣＨがスケジュールされると仮定する。そのようなタイミングをＫ２と呼び、ＰＤＣＣＨからＰＵＳＣＨへのタイミングを意味する。これはまた、スロットＮ＋１のＢＷＰスイッチング用のＤＣＩがＵＬグラントに使用されることを意味する。
【００３３】
本開示によれば、ＢＷＰ２の最も早い利用可能なスロットはスロットＮ＋５であるので、スロットＮ＋２およびＮ＋３からドロップされたＨＡＲＱ−ＡＣＫは、弧の矢印で示すように、スロットＮ＋５で送信される。同じスロットＮ＋５で送信されるＰＵＳＣＨが存在するので、ＨＡＲＱ−ＡＣＫはそのようなＰＵＳＣＨに多重される。しかしながら、従来技術の方法によれば、スロットＮ＋１のＢＷＰスイッチング用のＤＣＩでスケジュールされたタイミング（すなわち、Ｋ２（ＰＤＣＣＨ−＞ＰＵＳＣＨ））に基づいて、スロットＮ＋２およびＮ＋３からドロップされたＨＡＲＱ−ＡＣＫは、スロットＮ＋７でＰＵＳＣＨに多重されて送信される。したがって、本開示によれば、ＢＷＰスイッチング用のＤＣＩでスケジュールされたタイミングに影響を与えることなく、フィードバック遅延を短縮することができる。
【００３４】
ＵＬ用にスロットＮ＋５にスケジュールされたＰＵＳＣＨが存在しない場合、スロットＮ＋２およびＮ＋３からドロップされたＨＡＲＱ−ＡＣＫは、スロットＮ＋５においてＰＵＣＣＨでも送信され得ることに留意されたい。
【００３５】
本開示の一実施形態によれば、図２に示すＵＥ２００において、ドロップされたＵＣＩは、第２のＢＷＰまたは第３のＢＷＰの最も早い利用可能なスロットにおいて物理アップリンク制御チャネル（ＰＵＣＣＨ）で送信されるか、あるいは第２のＢＷＰまたは第３のＢＷＰの最も早い利用可能なスロットにおいて物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）に多重されて送信される。
【００３６】
具体的には、図３または図４のスロットＮ＋５に示すように、スロットＮ＋２およびＮ＋３からドロップされたＨＡＲＱ−ＡＣＫは、スロットＮ＋５においてＰＵＣＣＨで送信されるか、またはスロットＮ＋５においてＰＵＳＣＨに多重されて送信され得る。
【００３７】
本開示の一実施形態によれば、図２に示すＵＥ２００において、ＤＣＩはＤＬアサインメント用またはＵＬグラント用である。
【００３８】
具体的には、図３は、スロットＮ＋１で受信されたＢＷＰスイッチング用のＤＣＩがＤＬアサインメント用である場合を示しているが、図４は、スロットＮ＋１で受信されたＢＷＰスイッチング用のＤＣＩがＵＬグラント用である場合を示している。加えて、たとえば、図３および図４を参照して上記で説明したように、ＢＷＰスイッチングのＵＬグラントの場合と、ＢＷＰスイッチングのＤＬアサインメントの場合とで、ドロップされたＨＡＲＱ−ＡＣＫは異なる方法で処理され得る。
【００３９】
本開示の一実施形態によれば、図２に示すＵＥ２００において、ＢＷＰスイッチング用のＤＣＩは、第１のＢＷＰで受信される。
【００４０】
具体的には、図３および図４の両方において、第１のＢＷＰはＢＷＰ１であり、これは、ＵＬおよびＤＬが同じＢＷＰを共有する時分割複信（ＴＤＤ：Ｔｉｍｅ  Ｄｉｖｉｓｉｏｎ  Ｄｕｐｌｅｘｉｎｇ）の場合（非ペアの周波数帯の場合）に対応する。
【００４１】
本開示の一実施形態によれば、図２に示すＵＥ２００において、ドロップされたＵＣＩを第２のＢＷＰまたは第３のＢＷＰの最も早い利用可能なスロットで送信するためのＰＵＣＣＨリソース位置は、ＲＲＣ設定、規格の仕様、物理ダウンリンク制御チャネル（ＰＤＣＣＨ）の制御チャネルエレメント（ＣＣＥ：Ｃｏｎｔｒｏｌ  Ｃｈａｎｎｅｌ  Ｅｌｅｍｅｎｔ）インデックスによる暗黙的指示、ＤＣＩ内のハイブリッド自動再送要求−応答確認（ＨＡＲＱ−ＡＣＫ）リソースインジケータ（ＡＲＩ：Ａｃｋｎｏｗｌｅｄｇｅｍｅｎｔ  ｒｅｓｏｕｒｃｅ  ｉｎｄｉｃａｔｏｒ）による明示的指示、およびＵＥ  ＩＤのうちの１つまたは複数に従って決定される。
【００４２】
具体的には、図３に示すように、スロットＮ＋２およびＮ＋３からドロップされたＨＡＲＱ−ＡＣＫは、スロットＮ＋５においてＰＵＣＣＨによって送信される。図５に、図４のスロットＮ＋５におけるＰＵＣＣＨの配置を概略的に示す。図５では、例として、時間軸に沿って２つのスロットＮ＋５およびＮ＋６を示しており、周波数軸に沿って、スロットＮ＋５にＰＵＣＣＨ＃１、ＰＵＣＣＨ＃２、ＰＵＣＣＨ＃３、ＰＵＣＣＨ＃４を順に示している。
【００４３】
スロットＮ＋２およびＮ＋３からドロップされたＨＡＲＱ−ＡＣＫの送信に使用されるスロットＮ＋５における正確なＰＵＣＣＨリソース位置（すなわち、ＰＵＣＣＨリソースインデックス）（たとえば、スロットＮ＋５のＰＵＣＣＨ＃１）の決定に関して、以下のような複数の方法が存在し得る。
１）ＰＵＣＣＨリソースインデックスは、単にＲＲＣ設定に基づく。最後のＢＷＰ（たとえば、ＢＷＰ１）でドロップされたＨＡＲＱ−ＡＣＫを送信するためのリソースとして、ＰＵＣＣＨ＃１が設定される。複数のスロットのＨＡＲＱ−ＡＣＫを送信するには、バンドリングまたは多重化がいずれも可能であり、設定することができる。
２）ＰＵＣＣＨリソースインデックスは、規格で定められる。たとえば、ＰＵＣＣＨ＃１は、最後のＢＷＰでドロップされたＨＡＲＱ−ＡＣＫを送信するように規格で定められる。
３）ＰＵＣＣＨリソースインデックスは、ＰＤＣＣＨのＣＣＥインデックスによって暗黙的に指示される。そのようなＰＤＣＣＨは、（たとえば、図３のスロットＮ＋１で）ＢＷＰスイッチング用ＤＣＩを送信するもの、または（たとえば、図３のスロットＮ−１で）ＰＤＳＣＨをスケジュールするものとすることができる。ＰＤＣＣＨのＣＣＥインデックスが＃２であると仮定すると、図３のスロットＮ＋２およびＮ＋３からドロップされたＨＡＲＱ−ＡＣＫを送信するために、スロットＮ＋５のＰＵＣＣＨ＃２が使用される。
４）ＰＵＣＣＨリソースインデックスは、ＤＣＩ内のＡＲＩによって明示的に指示される。そのようなＤＣＩは、（たとえば、図３のスロットＮ＋１の）ＢＷＰスイッチング用ＤＣＩ、または（たとえば、図３のスロットＮ−１もしくはスロットＮの）ＰＤＳＣＨをスケジュールするＤＣＩとすることができる。たとえば、ＤＣＩのＡＲＩはＰＵＣＣＨ＃２を示し、図３のスロットＮ＋２およびＮ＋３からドロップされたＨＡＲＱ−ＡＣＫを送信するために、ＰＵＣＣＨ＃２が使用される。
５）ＰＵＣＣＨリソースインデックスは、ＵＥ  ＩＤに基づく。たとえば、ＵＥ  ＩＤは１０００であり、ＰＵＣＣＨリソースインデックスを決定するためにｍｏｄ（ＵＥ  ＩＤ，４）＋１が使用される。その場合、たとえば図３のスロットＮ＋２およびＮ＋３からドロップされたＨＡＲＱ−ＡＣＫを送信するために、ＰＵＣＣＨ＃１が使用される。
６）１）から５）の任意の組み合わせ。たとえば、４つのＰＵＣＣＨリソース全て（ＰＵＣＣＨ＃１からＰＵＣＣＨ＃４まで）が、ＲＲＣによって設定され、最後のＢＷＰ（たとえばＢＷＰ１）でドロップされたＨＡＲＱ−ＡＣＫの送信に使用されるそれらのうちの１つ（ＰＵＣＣＨ＃１）を示すためにＡＲＩが使用される。
【００４４】
本開示の一実施形態によれば、図２に示すＵＥ２００において、ＰＵＳＣＨに多重されるＵＣＩのリソース位置は、規格で定められる。
【００４５】
具体的には、図４に示すように、スロットＮ＋２およびＮ＋３からドロップされたＨＡＲＱ−ＡＣＫは、スロットＮ＋５でＰＵＳＣＨに多重されて送信される。スロットＮ＋５におけるＰＵＳＣＨ内のＨＡＲＱ−ＡＣＫ位置の決定は、現在の仕様で定められ得、現在のＮＲ規格３ＧＰＰ３８．２１３と同じであり得る。
【００４６】
本開示の一実施形態によれば、図２に示すＵＥ２００において、ＢＷＰスイッチング用のＤＣＩは第４のＢＷＰで受信され、第１のＢＷＰおよび第４のＢＷＰは同じスロットに対応する。
【００４７】
図３および図４はどちらもＴＤＤの場合である（すなわち、非ペアの周波数帯の場合）。しかしながら、本開示は、ＴＤＤの場合に適用されるだけでなく、周波数分割複信（ＦＤＤ：Ｆｒｅｑｕｅｎｃｙ  Ｄｉｖｉｓｉｏｎ  Ｄｕｐｌｅｘｉｎｇ）の場合（すなわち、ペアの周波数帯の場合）にも適用可能であり得る。
【００４８】
図６に、本開示の一実施形態による、ＢＷＰスイッチングの場合のＨＡＲＱ−ＡＣＫドロップの他の例示的なシナリオを概略的に示す。図６は、ＵＬおよびＤＬのそれぞれのＢＷＰが互いに分離しているＦＤＤの場合であるが、ＴＤＤの場合（たとえば、図３および図４）では、ＵＬおよびＤＬは同じＢＷＰを共有する。図６中の図４と同じ部分は、冗長にならないようにここでは説明しない。それらの唯一の違いは、ＢＷＰスイッチング以前に、ペアのＢＷＰ（ＤＬ  ＢＷＰ１およびＵＬ  ＢＷＰ１）が存在することである。したがって、この場合、第１のＢＷＰはＵＬ  ＢＷＰ１であり、第４のＢＷＰはＤＬ  ＢＷＰ１であるが、ＵＬ  ＢＷＰ１およびＤＬ  ＢＷＰ１はペアになっているので、同じスロット（スロットＮ−１からスロットＮ＋４まで）に対応する。
【００４９】
図４と同様に、図６では、ＵＥはスロットＮ＋１において、ＵＬグラントに使用されるＢＷＰスイッチング用のＤＣＩを受信している。換言すれば、ＵＥによってスロットＮ＋１で受信されたＤＣＩは、スロットＮ＋５におけるＵＬ  ＢＷＰ１から第２のＢＷＰであるＵＬ  ＢＷＰ２へのＵＬ  ＢＷＰスイッチングを指示する。図６では、ＨＡＲＱ−ＡＣＫ送信の基本的な処理は、図４と同じである。すなわち、ＵＬ  ＢＷＰ２の最も早い利用可能なスロットはスロットＮ＋５であるので、スロットＮ＋２およびＮ＋３からドロップされたＨＡＲＱ−ＡＣＫは、弧の矢印で示すように、スロットＮ＋５でＰＵＳＣＨに多重などされて送信される。これにより、ＢＷＰスイッチング用のＤＣＩでスケジュールされたタイミングに影響を与えることなく、フィードバック遅延を短縮することができる。
【００５０】
本開示の一実施形態によれば、図２に示すＵＥ２００において、第１のＢＷＰは第１のキャリア内にあり、第３のＢＷＰは第２のキャリア内にあり、第１のＢＷＰおよび第３のＢＷＰは同じスロットに対応する。
【００５１】
図３、図４、図６は全てシングルキャリアの場合に対応する。しかしながら、本開示は、シングルキャリアの場合に適用されるだけでなく、マルチキャリアの場合にも適用可能であり得る。
【００５２】
図７に、本開示の一実施形態による、ＢＷＰスイッチングの場合のＨＡＲＱ−ＡＣＫドロップの他の例示的なシナリオを概略的に示す。図７は、ＵＥは２つのキャリア（ＣＣ１およびＣＣ２）が可能であると仮定したキャリアアグリゲーション（ＣＡ：Ｃａｒｒｉｅｒ  Ａｇｇｒｅｇａｔｉｏｎ）の場合である。図７において、ＣＣ１のＢＷＰ１およびＣＣ１のＢＷＰ２は、図３のＢＷＰ１およびＢＷＰ２と同じであると見なされ得る。図７中の図３と同じ部分は、冗長にならないようにここでは説明しない。それらの違いは、図７では、ＣＣ１のＢＷＰ１のスロットＮ＋２およびＮ＋３からドロップされたＨＡＲＱ−ＡＣＫを、同じキャリアＣＣ１内のＢＷＰ２のスロットＮ＋５で送信する代わりに、ＵＥがそのようなＨＡＲＱ−ＡＣＫを、他のキャリアＣＣ２であるが同じスロットで送信することである。図７に示すように、ＣＣ１のＢＷＰ１のスロットＮ＋２からドロップされたＨＡＲＱ−ＡＣＫは、ＣＣ２のＢＷＰ１のスロットＮ＋２で送信され、ＣＣ１のＢＷＰ１のスロットＮ＋３からドロップされたＨＡＲＱ−ＡＣＫは、ＣＣ２のＢＷＰ１のスロットＮ＋３で送信される。換言すれば、ＣＣ１のＢＷＰ１のスロットＮ＋２およびＮ＋３で本来送信されるＨＡＲＱ−ＡＣＫは、それぞれＣＣ２のＢＷＰ１のスロットＮ＋２およびＮ＋３にシフトされる。この場合、第１のＢＷＰはＣＣ１のＢＷＰ１であり、第３のＢＷＰはＣＣ２のＢＷＰ１に対応し、第２のＢＷＰはＣＣ１のＢＷＰ２であり、第３のＢＷＰの最も早い利用可能なスロットは、ＣＣ２のＢＷＰ１のスロットＮ＋２およびＮ＋３に対応する。換言すれば、この場合、ドロップされたＵＣＩは第３のＢＷＰの最も早い利用可能なスロットで送信され、これは、ドロップされたＵＣＩが第２のＢＷＰの最も早い利用可能なスロットで送信される上記の場合とは異なる。
【００５３】
これにより、ドロップされたＨＡＲＱ−ＡＣＫをスロットＮ＋５で送信する上述の場合（図３、図４、および図６）と比較して、図７のＨＡＲＱ−ＡＣＫタイミングに影響はない。
【００５４】
図７ではＴＤＤの場合（すなわち、非ペアの周波数帯の場合）を示しているが、本開示はこれに限定されず、本開示はＦＦＤおよびＣＡの場合にも適用可能であり得ることに留意されたい。また、そのようなＨＡＲＱ−ＡＣＫのシフトが同じスロットに限定されないことに留意されたい。
【００５５】
ＣＣ２のＢＷＰ１の最も早い利用可能なスロットは、ＣＣ２のＲＲＣ設定および／またはＳＦＩ指示にも依存し得る。たとえば、ＣＣ２のＢＷＰ１のスロットＮ＋４の特定のＰＵＣＣＨがそのようなＨＡＲＱ−ＡＣＫシフトに使用できるように、ＲＲＣによって設定されている場合、ＣＣ１のＢＷＰ１のスロットＮ＋２およびＮ＋３からドロップされたＨＡＲＱ−ＡＣＫは、ＣＣ２のＢＷＰ１のスロットＮ＋４で送信される。明らかに、ＣＣ２のＢＷＰ１の最も早い利用可能なスロットも規格で定められ得る。明らかに、この場合、ＣＣ２のＢＷＰ１の最も早い利用可能なスロットは、スロットＮ＋２およびＮ＋３それぞれよりも前であってはならない。
【００５６】
図７は例示のみを目的としたものであり、本開示はこれに限定されないことに留意されたい。コンポーネントキャリア（ＣＣ：ｃｏｍｐｏｎｅｎｔ  ｃａｒｒｉｅｒ）が異なり得るので、ＣＣ１のＢＷＰ１およびＣＣ２のＢＷＰ１は、必ずしも同じスロットに対応しない。たとえば、ＣＣ１のＢＷＰ１の各スロットの長さは、ＣＣ２のＢＷＰ１のそれとは異なり得る。この場合、ＣＣ１のＢＷＰ１からドロップされたＵＣＩが、ＣＣ２のＢＷＰ１のどのスロットにシフトされるかを決定することは、ＣＣ２のＢＷＰ１の最も早い利用可能なスロットを決定することと等価である。また、上述のように、ＣＣ２のＢＷＰ１の最も早い利用可能なスロットは、ＣＣ２のＲＲＣ設定および／またはＳＦＩ指示に依存し得る。本開示の一実施形態によれば、図２に示すＵＥ２００において、第３のＢＷＰで受信されるＢＷＰスイッチング用のＤＣＩは存在せず、ならびに／あるいは第１のＢＷＰおよび第３のＢＷＰの一方はＳｃｅｌｌに使用され、他方はＰｃｅｌｌまたは設定済みセル（ｃｏｎｆｉｇｕｒｅｄ  ｃｅｌｌ）に使用され、ならびに／あるいは第１のＢＷＰおよび第３のＢＷＰのうちの一方が使用されるセルは補助ＵＬ（ＳＵＬ：Ｓｕｐｐｌｅｍｅｎｔａｒｙ  ＵＬ）である。
【００５７】
具体的には、図７では、ＣＣ２のＢＷＰ１は、ＣＣ１のＢＷＰ１からドロップされたＨＡＲＱ−ＡＣＫを送信するためのＢＷＰとして決定される。ドロップされたＨＡＲＱ−ＡＣＫをシフトするためのＣＣ／ＢＷＰインデックス（例えば、図７のＣＣ２／ＢＷＰ１）の決定は、以下の要因のうちの少なくとも１つに基づく。
１）セルがＰｃｅｌｌであるか否か。
２）セルが設定済みセルであるか否か。
３）セルがＢＷＰスイッチングを含むか否か。
４）セルがＳＵＬまたは非ＳＵＬのいずれであるか。
【００５８】
より具体的には、図７において、ＣＣ１のＢＷＰ１およびＣＣ２のＢＷＰ１の一方がＰｃｅｌｌ用であり、他方がＳｃｅｌｌ用である場合、ＣＣ２のＢＷＰ１は、ＣＣ１のＢＷＰ１からドロップされたＨＡＲＱ−ＡＣＫを送信するように決定され得る。ＣＣ１のＢＷＰ１およびＣＣ２のＢＷＰ１の一方が、他方のセルのバックアップとして専用に設定されたセル用である場合、ＣＣ２のＢＷＰ１は、ＣＣ１のＢＷＰ１からドロップされたＨＡＲＱ−ＡＣＫを送信するように決定され得る。ＣＣ２のＢＷＰ１のセルにＢＷＰスイッチングが存在しない場合、ＣＣ２のＢＷＰ１は、ＣＣ１のＢＷＰ１からドロップされたＨＡＲＱ−ＡＣＫを送信するように決定され得る。ＣＣ１のＢＷＰ１およびＣＣ２のＢＷＰ１の一方が、ＤＬなしでＵＬのみであることを意味するＳＵＬのセル用である場合、ＣＣ２のＢＷＰ１は、ＣＣ１のＢＷＰ１からドロップされたＨＡＲＱ−ＡＣＫを送信するように決定され得る。
【００５９】
図７は例示のみを目的としたものであり、本開示はこれに限定されないことに留意されたい。ＣＡの場合でも、ＣＣからドロップされたＵＣＩは、必ずしも他のＣＣにシフトされない。代わりに、ＣＣ１のＢＷＰ１からドロップされたＵＣＩは、ＣＣ１のＢＷＰ２の最も早い利用可能なスロット（たとえば、スロットＮ＋５）にもシフトされ得る。たとえば、上記の条件が満たされない場合、ＣＣ１のＢＷＰ１からドロップされたＵＣＩは、ＣＣ２のＢＷＰ１にシフトすることができない。あるいは、場合によっては、ＢＳまたはＵＥは、単にドロップされたＵＣＩをＣＣ１で送信することを優先する。したがって、ＣＡの場合でも、ドロップされたＵＣＩは、第２のＢＷＰまたは第３のＢＷＰの最も早い利用可能なスロットで送信され得る。どのルールが使用されるかは、ＲＲＣによって設定することも、ＤＣＩによって指示することもできる。
【００６０】
本開示の一実施形態によれば、図２に示すＵＥ２００において、ＢＷＰスイッチング期間においてＢＷＰスイッチングに使用されないスロットで送信されるＵＣＩは、ユーザ機器によってドロップされず、ＢＷＰスイッチング期間においてＢＷＰスイッチングに使用されるスロットの数は、規格で定められるか、またはユーザ機器のＢＷＰスイッチングの能力に基づいて設定される。
【００６１】
具体的には、図３、図４、図６、および図７は全て、ＮＲの現在の仕様に従って、全てのスロット（スロットＮ＋１からスロットＮ＋４まで）がＢＷＰスイッチングの準備に必要となる場合に対応する。しかしながら、将来のＢＷＰスイッチングの準備には、これらのスロットの一部のみで十分である可能性がある。本開示は、後者の場合にも適用される。
【００６２】
図８に、本開示の一実施形態による、ＢＷＰスイッチングの場合のＨＡＲＱ−ＡＣＫドロップの他の例示的なシナリオを概略的に示す。図８中の図３または図４と同じ部分は、冗長にならないようにここでは説明しない。図８と図３または図４との違いは、点で塗りつぶされた、「Ｎ＋４」と示された太線の箱で示すように、ＢＷＰスイッチング期間のスロット４のみが、ＢＷＰスイッチングの準備に使用される必要があることである。したがって、ＢＷＰ１のスロットＮ＋２およびスロットＮ＋３で本来送信されるＨＡＲＱ−ＡＣＫをドロップ、遅延、またはシフトする必要はない。指示されたタイミングに基づいて、スロットＮ＋２およびＮ＋３それぞれにおいてＨＡＲＱ−ＡＣＫを送信することができる。同様に、図７には示していないが、ＢＷＰ１のスロットＮ＋１で本来送信されるＨＡＲＱ−ＡＣＫが存在する場合、そのようなＨＡＲＱ−ＡＣＫは、ドロップ、遅延、またはシフトされる必要はない。
【００６３】
図７には示していないが、ＢＷＰ１のスロットＮ＋４で本来送信されるＨＡＲＱ−ＡＣＫが存在する場合、そのようなＨＡＲＱ−ＡＣＫはドロップされる必要があり、他のＢＷＰの最も早い利用可能なスロット（たとえば、ＢＷＰ２のスロットＮ＋５）で送信される。そのようなＨＡＲＱ−ＡＣＫの処理の原理は、基本的には図３、図４、図６、および図７と同じであり、冗長にならないようにここでは説明しない。
【００６４】
要約すると、ＨＡＲＱ−ＡＣＫがシフトされる必要があるか否かは、ＵＥのＢＷＰスイッチング時間の能力および／またはスロット長に依存する。ＵＥは自身のＢＷＰスイッチング時間の能力を報告することができ、基地局はＢＷＰスイッチングに必要なシンボル／スロットの数を暗黙的または明示的に指示する。そうすることで、ＵＥと基地局との間に曖昧さがなくなる。
【００６５】
本開示の一実施形態によれば、図２に示すＵＥ２００において、準静的コードブックサイズが、ドロップされたＵＣＩを考慮して、第２のＢＷＰまたは第３のＢＷＰの最も早い利用可能なスロットに対して決定される。
【００６６】
具体的には、準静的コードブックサイズの決定のために、ＢＷＰスイッチング期間に本来送信されるＨＡＲＱ−ＡＣＫも、実際のＨＡＲＱ−ＡＣＫ送信用のスロット、すなわち、第２のＢＷＰまたは第３のＢＷＰの最も早い利用可能なスロットのために考慮される。たとえば、本開示で開示したそのような提案を考慮する前では、コードブックサイズとして４ビットが決定される。本開示で開示したそのような提案を考慮した後では、コードブックのサイズには６ビットが必要となる。追加の２ビットは、ＢＷＰスイッチング時間中にドロップされたＨＡＲＱ−ＡＣＫのフィードバックに使用される。
【００６７】
本開示の一実施形態によれば、図２に示すＵＥ２００において、ＵＣＩはＨＡＲＱ−ＡＣＫおよび／またはチャネル状態情報（ＣＳＩ：Ｃｈａｎｎｅｌ  Ｓｔａｔｅ  Ｉｎｆｏｒｍａｔｉｏｎ）を含む。
【００６８】
具体的には、上記の例では、ＵＣＩとしてＨＡＲＱ−ＡＣＫを仮定しているが、本開示はこれに限定されない。本開示はＣＳＩまたは他の種類のＵＣＩにも適用可能である。
【００６９】
図９に、本開示の一実施形態による、ＢＷＰスイッチングの場合のＣＳＩドロップの例示的なシナリオを概略的に示す。図９中の図３と同じ部分は、冗長にならないようにここでは説明しない。図９と図３との違いは、グリッド線で塗りつぶされた箱で示すように、ＲＲＣ設定または以前のＤＣＩの指示に基づいて、ＣＳＩがＢＷＰ１のスロットＮ＋２で本来送信されることである。ＨＡＲＱ−ＡＣＫの場合と同様に、ＢＷＰ１のスロットＮ＋２で送信されるＣＳＩはドロップされ、ＢＷＰ２のスロットＮ＋５で送信される。
【００７０】
上記では、ＵＥ２００は、図１〜図９を参照して詳細に説明している。ＵＥ２００では、ＢＷＰスイッチングの場合に、本来のＢＷＰとは異なる新たなＢＷＰの最も早い利用可能なスロットを使用して、本来のＢＷＰで本来送信されるドロップされたＵＣＩを送信することにより、フィードバック遅延が短縮され得、システムのパフォーマンスが改善され得る。
【００７１】
本開示の他の実施形態では、図１０に示す基地局を提供する。図１０に、本開示の一実施形態による基地局１０００の一部のブロック図を示す。図１０に示すように、ＢＳ１０００は、送信機１０１０、受信機１０２０、および回路１０３０を備え得る。送信機１０１０は、第１のＢＷＰから第２のＢＷＰへの部分帯域（ＢＷＰ）スイッチング用のダウンリンク制御情報（ＤＣＩ）を、ユーザ機器にスロット内で送信するように動作する。受信機１０２０は、ユーザ機器から第２のＢＷＰまたは第３のＢＷＰの最も早い利用可能なスロットでアップリンク制御情報（ＵＣＩ）を受信するように動作する。回路１０３０は、ＵＣＩを復号するように動作する。第１のＢＷＰのＢＷＰスイッチング期間に送信されるＵＣＩはユーザ機器によってドロップされ、第２または第３のＢＷＰの最も早い利用可能なスロットはユーザ機器によって決定され、ＢＷＰスイッチング期間は、ＢＷＰスイッチング用のＤＣＩがユーザ機器によって受信されるスロットから、ＤＣＩに従って第１のＢＷＰが切り替えられる第２のＢＷＰの開始までである。たとえば、ユーザ機器は、図２に示すＵＥ２００であり得る。
【００７２】
本開示の一実施形態によれば、第２のＢＷＰまたは第３のＢＷＰの最も早い利用可能なスロットは、規格で定められ、またはスロットフォーマットインジケータ（ＳＦＩ）によって指示され、および／または無線リソース制御（ＲＲＣ）によって設定される。
【００７３】
本開示の一実施形態によれば、ドロップされたＵＣＩは、第２のＢＷＰまたは第３のＢＷＰの最も早い利用可能なスロットにおいて物理アップリンク制御チャネル（ＰＵＣＣＨ）で送信されるか、あるいは第２のＢＷＰまたは第３のＢＷＰの最も早い利用可能なスロットにおいて物理アップリンク共有チャネル（ＰＵＳＣＨ）に多重されて送信される。
【００７４】
本開示の一実施形態によれば、ドロップされたＵＣＩを第２のＢＷＰまたは第３のＢＷＰの最も早い利用可能なスロットで送信するためのＰＵＣＣＨリソース位置は、ＲＲＣ設定、規格の仕様、物理ダウンリンク制御チャネル（ＰＤＣＣＨ）の制御チャネルエレメント（ＣＣＥ）インデックスによる暗黙的指示、ＤＣＩ内のハイブリッド自動再送要求−応答確認（ＨＡＲＱ−ＡＣＫ）リソースインジケータ（ＡＲＩ）による明示的指示、およびＵＥ  ＩＤのうちの１つまたは複数に従って決定される。
【００７５】
本開示の一実施形態によれば、ＰＵＳＣＨに多重されるＵＣＩのリソース位置は、規格で定められる。
【００７６】
本開示の一実施形態によれば、ＤＣＩはダウンリンク（ＤＬ）アサインメント用またはアップリンク（ＵＬ）グラント用である。
【００７７】
本開示の一実施形態によれば、ＢＷＰスイッチング用のＤＣＩは、第１のＢＷＰで受信される。
【００７８】
本開示の一実施形態によれば、ＢＷＰスイッチング用のＤＣＩは第４のＢＷＰで送信され、第１のＢＷＰおよび第４のＢＷＰは同じスロットに対応する。
【００７９】
本開示の一実施形態によれば、第１のＢＷＰは第１のキャリア内にあり、第３のＢＷＰは第２のキャリア内にあり、第１のＢＷＰおよび第３のＢＷＰは同じスロットに対応する。
【００８０】
本開示の一実施形態によれば、第３のＢＷＰで受信されるＢＷＰスイッチング用のＤＣＩは存在せず、ならびに／あるいは第１のＢＷＰおよび第３のＢＷＰの一方はＳｃｅｌｌに使用され、他方はＰｃｅｌｌまたは設定済みセルに使用され、ならびに／あるいは第１のＢＷＰおよび第３のＢＷＰの一方が使用されるセルは補助ＵＬ（ＳＵＬ）である。
【００８１】
本開示の一実施形態によれば、ＢＷＰスイッチング期間の全てのスロットが、ＢＷＰスイッチングに使用される。
【００８２】
本開示の一実施形態によれば、ＢＷＰスイッチング期間においてＢＷＰスイッチングに使用されないスロットで送信されるＵＣＩは、ユーザ機器によってドロップされず、ＢＷＰスイッチング期間においてＢＷＰスイッチングに使用されるスロットの数は、規格で定められるか、またはユーザ機器のＢＷＰスイッチングの能力に基づいて設定される。
【００８３】
本開示の一実施形態によれば、準静的コードブックサイズが、ドロップされたＵＣＩを考慮して、第２のＢＷＰまたは第３のＢＷＰの最も早い利用可能なスロットに対して決定される。
【００８４】
本開示の一実施形態によれば、ＵＣＩはＨＡＲＱ−ＡＣＫおよび／またはチャネル状態情報（ＣＳＩ）を含む。
【００８５】
ＢＳ１０００では、ＢＷＰスイッチングの場合に、本来のＢＷＰとは異なる新たなＢＷＰの最も早い利用可能なスロットを使用して、本来のＢＷＰで本来送信されるドロップされたＵＣＩを送信することにより、フィードバック遅延が短縮され得、システムのパフォーマンスが改善され得る。
【００８６】
図１１に、本開示の一実施形態によるユーザ機器１１００の詳細のブロック図を示す。
【００８７】
ユーザ機器１１００は、ｎ個の符号化・変調部１１１０−１〜１１１０−ｎを備え、それぞれが、送信データ＃１から送信データ＃ｎまでに対する符号化ユニット１１０１（１１０１−１〜１１０１−ｎ）と変調ユニット１１０２（１１０２−１〜１１０２−ｎ）とを備える。符号化・変調部１１１０−１〜１１１０−ｎにおいて、符号化ユニット１１０１−１〜１１０１−ｎは、それぞれ送信データ＃１〜＃ｎに符号化処理を実行し、変調ユニット１１０２−１〜１１０２−ｎはそれぞれ、符号化後の送信データに変調処理を実行して、データシンボルを生成する。このとき使用される符号化レートおよび変調方式は、適応制御ユニット１１２４から入力されるＭＣＳ（変調・符号化方式：Ｍｏｄｕｌａｔｉｏｎ  ａｎｄ  Ｃｏｄｉｎｇ  Ｓｃｈｅｍｅ）情報に従い得る。ｎ個の符号化・変調部１１１０−１〜１１１０−ｎは、ＰＵＳＣＨと見なされ得る。
【００８８】
リソース割当ユニット１１１１は、適応制御ユニット１１２４からの制御に従ってＰＲＢにデータシンボルを割り当て、多重化ユニット１１１２への出力を実行する。また、リソース割当ユニット１１１１は、リソース割当情報を制御情報生成ユニット１１１３に出力し得る。
【００８９】
制御情報生成ユニット１１１３は、適応制御ユニット１１２４およびリソース割当ユニット１１１１から入力される情報に基づいて、ＵＣＩを含む制御情報を生成し、送信するＵＣＩビットの処理方法を決定する。より具体的には、制御情報生成ユニット１１１３は、第１のＢＷＰのＢＷＰスイッチング期間に送信されるＵＣＩをドロップし、第２のＢＷＰまたは第３のＢＷＰの最も早い利用可能なスロットを、ドロップされたＵＣＩを送信するスロットとして決定する。次いで、制御情報生成ユニット１１１３は、生成した制御情報を符号化ユニット１１１４に出力する。
【００９０】
符号化ユニット１１１４は、制御情報（たとえば、ＵＣＩ）に符号化処理を実行し、変調ユニット１１１５は、符号化後の制御情報に変調処理を実行し、制御情報を多重化ユニット１１１２に出力する。
【００９１】
多重化ユニット１１１２は、リソース割当ユニット１１１１から入力されるデータシンボルに制御情報（たとえば、ＵＣＩ）を多重し、その結果の信号をＩＦＦＴ（逆高速フーリエ変換：Ｉｎｖｅｒｓｅ  Ｆａｓｔ  Ｆｏｕｒｉｅｒ  Ｔｒａｎｓｆｏｒｍ）ユニット１１１６に出力する。制御情報の多重化は、たとえば、サブフレームごとに実行される。制御情報の多重化には、時間領域の多重化または周波数領域の多重化のいずれもが使用され得ることに留意されたい。
【００９２】
ＩＦＦＴユニット１１１６は、制御情報およびデータシンボルがマッピングされるＰＲＢ内の複数のサブキャリアにＩＦＦＴ処理を実行して、マルチキャリア信号であるＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを生成する。ＣＰ（サイクリックプレフィックス：Ｃｙｃｌｉｃ  Ｐｒｅｆｉｘ）付加ユニット１１１７は、ＯＦＤＭシンボルの末端部と同一の信号を、ＯＦＤＭシンボルの先頭にＣＰとして付加する。無線送信ユニット１１１８は、ＣＰ付加後のＯＦＤＭシンボルに、Ｄ／Ａ変換、増幅、およびアップコンバートなどの送信処理を実行し、これをアンテナ１１１９から基地局に送信する。
【００９３】
上記は、ドロップされたＵＣＩが、第３のＢＷＰの最も早い利用可能なスロットにおいてＰＵＳＣＨに多重される場合に対応する。ドロップされたＵＣＩが、第２のＢＷＰまたは第３のＢＷＰの最も早い利用可能なスロットにおいてＰＵＣＣＨで送信される場合、ＵＣＩがデータと多重される必要はない。
【００９４】
一方、無線受信ユニット１１２０は、基地局から送信されたｎ個のＯＦＤＭシンボルをアンテナ１１１９経由で受信し、これらのＯＦＤＭシンボルに、ダウンコンバートおよびＡ／Ｄ変換などの受信処理を実行する。ＣＰ除去ユニット１１２１は、受信処理後のＯＦＤＭシンボルからＣＰを除去する。
【００９５】
ＦＦＴ（高速フーリエ変換：Ｆａｓｔ  Ｆｏｕｒｉｅｒ  Ｔｒａｎｓｆｏｒｍ）ユニット１１２２は、ＣＰ除去後のＯＦＤＭシンボルにＦＦＴ処理を実行して、周波数領域で多重された信号を取得する。
【００９６】
復調・復号部１１２３−１〜１１２３−ｎにおいて、復調ユニット１１０４−１〜１１０４−ｎはそれぞれ、ＦＦＴ後の信号に復調処理を実行し、復号ユニット１１０３−１〜１１０３−ｎはそれぞれ、復調後の信号に復号処理を実行する。この手段により、受信データが取得される。受信データ内の受信制御情報（たとえば、ＢＷＰスイッチング用のＤＣＩ）は、適応制御ユニット１１２４に入力され、適応制御ユニット１１２４は、受信制御情報に基づいて送信データに適応制御を実行し、リソース割当ユニット１１１１に対して、各データがどのＰＲＢに割り当てられるかを決定する周波数スケジューリングを実行する。より具体的には、ＵＥ１１００は、基地局から（たとえば、図３または図４に示すように）ＤＬアサインメントまたはＵＬグラントを受信し得る。復調・復号部１１２３−１〜１１２３−ｎによって復調および復号された後、たとえば、ＵＣＩを生成するために、ＤＬアサインメントおよびＵＬグラントが、適応制御ユニット１１２４に、次いで制御情報生成ユニット１１１３に提供され得る。
【００９７】
図１１に示すユーザ機器１１００が、図２に示すＵＥ２００として機能し得ることに留意されたい。具体的には、無線送信ユニット１１１８は、送信機２３０に対応し得る。無線受信ユニット１１２０は、受信機２１０に対応し得る。回路２２０は、符号化・変調部１１１０−１〜１１１０−ｎ、リソース割当ユニット１１１１、多重化ユニット１１１２、制御情報生成ユニット１１１３、符号化ユニット１１１４、変調ユニット１１１５、ＩＦＦＴユニット１１１６、ＣＰ付加ユニット１１１７、ＣＰ除去ユニット１１２１、ＦＦＴユニット１１２２、復調・復号部１１２３−１〜１１２３−ｎ、および適応制御ユニット１１２４を含み得る。明らかに、これらのユニットの１つまたは複数はまた、特定の要求に応じて受信機２１０から分離され得る。
【００９８】
図１２に、本開示の一実施形態による基地局１２００の詳細のブロック図を示す。
【００９９】
図１２に示す基地局１２００において、無線受信ユニット１２１１は、ユーザ機器から送信されたＯＦＤＭシンボルをアンテナ１２１０経由で受信し、ＯＦＤＭシンボルに、アップコンバートおよび／またはＡ／Ｄ変換などの受信処理を実行する。ＣＰ除去ユニット１２１２は、受信処理後のＯＦＤＭシンボルからＣＰを除去する。ＦＦＴユニット１２１３は、ＣＰ除去後のＯＦＤＭシンボルにＦＦＴ処理を実行して、制御情報（ＵＣＩを含む）およびデータシンボルが多重された受信信号を取得する。逆多重化ユニット１２１４は、ＦＦＴ後の受信信号を制御信号およびデータシンボルに逆多重する。次いで、逆多重化ユニット１２１４は、制御信号を復調・復号部１２１５に出力し、データシンボルをデマッピングユニット１２１６に出力する。
【０１００】
復調・復号部１２１５において、復調ユニット１２０１は制御信号の復調処理を実行し、復号ユニット１２０２は復調後の信号に復号処理を実行する。ここで、制御情報はＵＣＩを含み得る。復調・復号部１２１５は、ＵＣＩビットを復調および復号し得る。ＵＣＩは第１のＢＷＰのＢＷＰスイッチング期間に本来送信され、ユーザ機器によってドロップされ、第２のＢＷＰまたは第３のＢＷＰの最も早い利用可能なスロットが、ユーザ機器によって、ドロップされたＵＣＩを送信するスロットとして決定される。
【０１０１】
加えて、制御情報は、リソース割当情報も含み得る。次いで、復調・復号部１２１５は、制御情報内のリソース割当情報をデマッピングユニット１２１６に出力する。
【０１０２】
復調・復号部１２１５から入力されるリソース割当情報に基づいて、デマッピングユニット１２１６は、リソース割当情報に基づいてＰＲＢからデータシンボルを抽出する。次いで、デマッピングユニット１２１６は、抽出したデータシンボルを復調・復号部１２１７に出力する。
【０１０３】
復調・復号部１２１７において、復調ユニット１２０３は、デマッピングユニット１２１６から入力されるデータシンボルに復調処理を実行し、復号ユニット１２０４は、復調後の信号に復号処理を実行する。この手段により、受信データが取得される。
【０１０４】
上記は、ドロップされたＵＣＩが、第３のＢＷＰの最も早い利用可能なスロットにおいてＰＵＳＣＨに多重される場合に対応する。ドロップされたＵＣＩが、第２のＢＷＰまたは第３のＢＷＰの最も早い利用可能なスロットにおいてＰＵＣＣＨで送信される場合、ＵＣＩはデータと多重される必要はない。
【０１０５】
一方、符号化・変調部１２１８において、符号化ユニット１２０５は送信データに符号化処理を実行し、変調ユニット１２０６は、符号化後の送信データに変調処理を実行して、データシンボルを生成する。ＩＦＦＴユニット１２１９は、符号化・変調部１２１８から入力されるデータシンボルが割り当てられたＰＲＢ内の複数のサブキャリアにＩＦＦＴ処理を実行して、マルチキャリア信号であるＯＦＤＭシンボルを生成する。ＣＰ付加ユニット１２２０は、ＯＦＤＭシンボルの末端部と同一の信号を、ＯＦＤＭシンボルの先頭にＣＰとして付加する。無線送信ユニット１２２１は、ＣＰ付加後のＯＦＤＭシンボルに、Ｄ／Ａ変換、増幅、およびアップコンバートなどの送信処理を実行し、これをアンテナ１２１０からユーザ機器に送信する。
【０１０６】
明らかに、図１２には示していないが、ＢＳ１２００はまた、符号化・変調部１２１８、ＩＦＦＴユニット１２１９、ＣＰ付加ユニット１２２０、無線送信ユニット１２２１およびアンテナ１２１０によって、ＤＣＩ（たとえば、ＢＷＰスイッチング用のＤＬアサインメントまたはＵＬグラント）をユーザ機器に送信し得る。
【０１０７】
図１２に示す基地局１２００は、図１０に示すＢＳ１０００として機能し得ることに留意されたい。具体的には、無線受信ユニット１２１１は、受信機１０２０に対応し得る。無線送信ユニット１２２１は、送信機１０１０に対応し得る。回路１０３０は、ＣＰ除去ユニット１２１２、ＦＦＴユニット１２１３、逆多重化ユニット１２１４、復調・復号部１２１５、１２１７、デマッピングユニット１２１６、符号化・変調部１２１８、ＩＦＦＴユニット１２１９、ＣＰ付加ユニット１２２０を含み得る。明らかに、これらのユニットの１つまたは複数はまた、特定の要求に応じて回路１０３０から分離され得る。
【０１０８】
図１３に、本開示の一実施形態による、ＢＳ１３１０とＵＥ１３２０との間の通信のフローチャートの一例を概略的に示す。たとえば、ＢＳ１３１０は、図１０に示すＢＳ１０００または図１２に示す基地局１２００であり得、ＵＥ１３２０は、図２に示すＵＥ２００または図１１に示すユーザ機器１１００であり得る。
【０１０９】
ステップＳＴ１０１において、ＵＥ１３２０は、接続手順でＢＳ１３１０と接続する。接続は、知られているかまたは将来開発される方法を実施することによって確立され得、その詳細は本明細書では省略する。
【０１１０】
ステップＳＴ１０２において、ＢＳ１３１０は、ＢＷＰスイッチング用のＤＣＩをＵＥ１３２０に送信する。上述のように、ＢＳ１３２０は、図１０に示すＢＳ１０００として送信機１０１０を含み得、ステップＳＴ１０２は、送信機１０１０によって実行され得る。これに対応して、ＵＥ１３２０は、図２に示すＵＥ２００として受信機２１０を含み得、受信機２１０は、ステップＳＴ１０２においてＢＳ１３１０から送信されたＤＣＩを受信する。
【０１１１】
ステップＳＴ１０３において、ＵＥ１３２０は、ドロップされたＵＣＩを送信するための新たなＢＷＰの最も早い利用可能なスロットを決定する。より具体的には、ＵＥ１３２０は、第１のＢＷＰのＢＷＰスイッチング期間に送信されるＵＣＩをドロップし、第２のＢＷＰまたは第３のＢＷＰの最も早い利用可能なスロットを、ドロップされたＵＣＩを送信するスロットとして決定する。上述のように、ＵＥ１３２０は、図２に示すＵＥ２００として回路２２０を含み得、ステップＳＴ１０３は、回路２２０によって実行され得る。
【０１１２】
ステップＳＴ１０４において、ＵＥ１３２０はＵＣＩをＢＳ１３１０に送信する。上述のように、ＵＥ１３２０はまた、図２に示すＵＥ２００として送信機２３０を含み得、ステップＳＴ１０４は、送信機２３０によって実行され得る。これに対応して、ＢＳ１３１０は、図１０に示すＢＳ１０００として受信機１０２０を含み得、受信機１０２０は、ステップＳＴ１０４においてＵＥ１３２０から送信されたＵＣＩビットを受信する。
【０１１３】
ステップＳＴ１０５において、ＢＳ１３１０は、ＵＣＩを復号する。ＢＳ１３１０はまた、図１０に示すＢＳ１０００として回路１０３０を含み得、ステップＳＴ１０５は、回路１０３０によって実行され得る。
【０１１４】
図１３には示していないが、データはＰＵＳＣＨでＵＥ１３２０からＢＳ１３１０に送信され、次いでＢＳ１３１０で復号され得ることに留意されたい。
【０１１５】
本開示のさらなる実施形態では、図１４に示すユーザ機器のための無線通信方法を提供する。図１４に、本開示の一実施形態による、ユーザ機器のための無線通信方法１４００のフローチャートを示す。たとえば、無線通信方法１４００は、図２および図１１に示すＵＥ２００／１１００に適用され得る。
【０１１６】
図１４に示すように、無線通信方法１４００は、第１のＢＷＰから第２のＢＷＰへの部分帯域（ＢＷＰ）スイッチング用のダウンリンク制御情報（ＤＣＩ）が、基地局からスロット内で受信されるステップＳ１４０１から開始する。次いで、ステップＳ１４０２において、第１のＢＷＰのＢＷＰスイッチング期間に送信されるアップリンク制御情報（ＵＣＩ）がドロップされ、第２のＢＷＰまたは第３のＢＷＰの最も早い利用可能なスロットが決定される。ＢＷＰスイッチング期間は、ＢＷＰスイッチング用のＤＣＩが受信されるスロットから、ＤＣＩに従って第１のＢＷＰが切り替えられる第２のＢＷＰの開始までである。最後に、ステップＳ１４０３において、ドロップされたＵＣＩは、第２のＢＷＰまたは第３のＢＷＰの決定された最も早い利用可能なスロットで基地局に送信される。ステップＳ１４０３の後、無線通信方法１４００は終了する。たとえば、基地局は、図１０および図１２に示すＢＳ１０００／１２００であり得る。
【０１１７】
無線通信方法１４００では、ＢＷＰスイッチングの場合に、本来のＢＷＰとは異なる新たなＢＷＰの最も早い利用可能なスロットを使用して、本来のＢＷＰで本来送信されるドロップされたＵＣＩを送信することによって、フィードバック遅延が短縮され得、システムのパフォーマンスが改善され得る。
【０１１８】
上述のユーザ機器２００における他の技術的特徴は、無線通信方法１４００にも組み込むことができ、冗長にならないようにここでは説明しないことに留意されたい。
【０１１９】
本開示のさらなる実施形態では、図１５に示す基地局のための無線通信方法を提供する。図１５に、本開示の一実施形態による基地局のための無線通信方法１５００のフローチャートを示す。たとえば、無線通信方法１５００は、図１０および図１２に示すＢＳ１０００／１２００に適用され得る。
【０１２０】
図１５に示すように、無線通信方法１５００は、第１のＢＷＰから第２のＢＷＰへの部分帯域（ＢＷＰ）スイッチング用のダウンリンク制御情報（ＤＣＩ）が、ユーザ機器にスロット内で送信されるステップＳ１５０１から開始する。次いで、ステップＳ１５０２において、アップリンク制御情報（ＵＣＩ）が、ユーザ機器から第２のＢＷＰまたは第３のＢＷＰの最も早い利用可能なスロットで受信される。最後に、ステップＳ１５０３において、ＵＣＩが復号される。ステップＳ１５０３の後、無線通信方法１５００は終了する。第１のＢＷＰのＢＷＰスイッチング期間に送信されるＵＣＩは、ユーザ機器によってドロップされ、第２または第３のＢＷＰの最も早い利用可能なスロットは、ユーザ機器によって決定される。ＢＷＰスイッチング期間は、ＢＷＰスイッチング用のＤＣＩがユーザ機器によって受信されるスロットから、ＤＣＩに従って第１のＢＷＰが切り替えられる第２のＢＷＰの開始までである。たとえば、ユーザ機器は、図２および図１１に示すＵＥ２００／１１００であり得る。
【０１２１】
無線通信方法１５００では、ＢＷＰスイッチングの場合に、本来のＢＷＰとは異なる新たなＢＷＰの最も早い利用可能なスロットを使用して、本来のＢＷＰで本来送信されるドロップされたＵＣＩを送信することによって、フィードバック遅延が短縮され得、システムのパフォーマンスが改善され得る。
【０１２２】
上述の基地局１０００の他の技術的特徴は、無線通信方法１５００に組み込むこともでき、冗長にならないようにここでは説明しない。ことに留意されたい。
【０１２３】
本開示は、ソフトウェア、ハードウェア、またはハードウェアと連携するソフトウェアによって実現することができる。また、上述の各実施形態の説明で使用した各機能ブロックは、ＬＳＩによって集積回路として実現することができ、各実施形態で説明した各処理は、ＬＳＩによって制御され得る。それらは個別にチップとして形成され得、または機能ブロックの一部または全部を含むように１つのチップが形成され得る。それらは、それらに結合されたデータ入力および出力を含み得る。ここでのＬＳＩは、集積度の違いに応じて、ＩＣ、システムＬＳＩ、スーパーＬＳＩ、またはウルトラＬＳＩと呼ばれ得る。しかしながら、集積回路を実装する技法は、ＬＳＩに限定されず、専用回路または汎用プロセッサを使用して実現され得る。加えて、ＬＳＩ製造後にプログラムすることができるＦＰＧＡ（フィールドプログラマブルゲートアレイ：Ｆｉｅｌｄ  Ｐｒｏｇｒａｍｍａｂｌｅ  Ｇａｔｅ  Ａｒｒａｙ）、またはＬＳＩ内部に配置された回路セルの接続および設定を再構成することができるリコンフィギャラブルプロセッサが使用され得る。
【０１２４】
本開示は、本開示の内容および範囲から逸脱することなく、本明細書で提示した説明および知られている技術に基づいて、当業者によって様々に変更または修正されるものとし、そのような変更および応用は、保護されるよう請求している範囲内に入ることに留意されたい。さらに、本開示の内容を逸脱しない範囲で、上述の実施形態の構成要素が任意に組み合わせられ得る。
【０１２５】
本開示の実施形態は、少なくとも以下の主題を提供することができる。
【０１２６】
（１）．第１の部分帯域（ＢＷＰ）から第２のＢＷＰへのＢＷＰスイッチング用のダウンリンク制御情報（ＤＣＩ）を、基地局からスロット内で受信するように動作する受信機と、
第１のＢＷＰのＢＷＰスイッチング期間に送信されるアップリンク制御情報（ＵＣＩ）をドロップし、第２のＢＷＰまたは第３のＢＷＰの最も早い利用可能なスロットを決定するように動作する回路であって、ＢＷＰスイッチング期間は、ＢＷＰスイッチング用のＤＣＩが受信されるスロットから、ＤＣＩに従って第１のＢＷＰが切り替えられる第２のＢＷＰの開始までである、回路と、
第２のＢＷＰまたは第３のＢＷＰの決定された最も早い利用可能なスロットで、ドロップされたＵＣＩを基地局に送信するように動作する送信機と、
を備える、ユーザ機器。
【０１２７】
（２）．第２のＢＷＰまたは第３のＢＷＰの最も早い利用可能なスロットは、規格で定められ、またはスロットフォーマットインジケータ（ＳＦＩ）によって指示され、および／または無線リソース制御（ＲＲＣ）によって設定される、（１）に記載のユーザ機器。
【０１２８】
（３）．ドロップされたＵＣＩは、第２のＢＷＰまたは第３のＢＷＰの最も早い利用可能なスロットにおいて物理アップリンク制御チャネル（ＰＵＣＣＨ）で送信されるか、または第２のＢＷＰまたは第３のＢＷＰの最も早い利用可能なスロットにおいて物理アップリンク共有チャネル（ＰＵＳＣＨ）に多重されて送信される、（１）に記載のユーザ機器。
【０１２９】
（４）．ドロップされたＵＣＩを第２のＢＷＰまたは第３のＢＷＰの最も早い利用可能なスロットで送信するためのＰＵＣＣＨのリソース位置は、ＲＲＣ設定、規格の仕様、物理ダウンリンク制御チャネル（ＰＤＣＣＨ）の制御チャネルエレメント（ＣＣＥ）インデックスによる暗黙的指示、ＤＣＩ内のハイブリッド自動再送要求−応答確認（ＨＡＲＱ−ＡＣＫ）リソースインジケータ（ＡＲＩ）による明示的指示、およびＵＥ  ＩＤのうちの１つまたは複数に従って決定される、（３）に記載のユーザ機器。
【０１３０】
（５）．ＰＵＳＣＨに多重されるＵＣＩのリソース位置は、規格で定められる、（３）に記載のユーザ機器。
【０１３１】
（６）．ＤＣＩは、ダウンリンク（ＤＬ）アサインメント用またはアップリンク（ＵＬ）グラント用である、（１）に記載のユーザ機器。
【０１３２】
（７）．ＢＷＰスイッチング用のＤＣＩは、第１のＢＷＰで受信される、（１）に記載のユーザ機器。
【０１３３】
（８）．ＢＷＰスイッチング用のＤＣＩは第４のＢＷＰで受信され、第１のＢＷＰおよび第４のＢＷＰは同じスロットに対応する、（１）に記載のユーザ機器。
【０１３４】
（９）．第１のＢＷＰは第１のキャリア内にあり、第３のＢＷＰは第２のキャリア内にあり、第１のＢＷＰおよび第３のＢＷＰは同じスロットに対応する、（１）に記載のユーザ機器。
【０１３５】
（１０）．第３のＢＷＰで受信されるＢＷＰスイッチング用のＤＣＩは存在せず、ならびに／あるいは第１のＢＷＰおよび第３のＢＷＰの一方はＳｃｅｌｌに使用され、他方はＰｃｅｌｌまたは設定済みセルに使用され、ならびに／あるいは第１のＢＷＰおよび第３のＢＷＰの一方が使用されるセルは補助ＵＬ（ＳＵＬ）である、（９）に記載のユーザ機器。
【０１３６】
（１１）．ＢＷＰスイッチング期間の全てのスロットは、ＢＷＰスイッチングに使用される、（１）に記載のユーザ機器。
【０１３７】
（１２）．ＢＷＰスイッチング期間においてＢＷＰスイッチングに使用されないスロットで送信されるＵＣＩは、ユーザ機器によってドロップされず、
ＢＷＰスイッチング期間におけるＢＷＰスイッチングに使用されるスロットの数は、規格で定められるか、またはユーザ機器のＢＷＰスイッチングの能力に基づいて設定される、
（１）に記載のユーザ機器。
【０１３８】
（１３）．準静的コードブックサイズは、ドロップされたＵＣＩを考慮して、第２のＢＷＰまたは第３のＢＷＰの最も早い利用可能なスロットに対して決定される（１）に記載のユーザ機器。
【０１３９】
（１４）．ＵＣＩは、ＨＡＲＱ−ＡＣＫおよび／またはチャネル状態情報（ＣＳＩ）を含む、（１）に記載のユーザ機器。
【０１４０】
（１５）．第１の部分帯域（ＢＷＰ）から第２のＢＷＰへのＢＷＰスイッチング用のダウンリンク制御情報（ＤＣＩ）を、ユーザ機器にスロット内で送信するように動作する送信機と、
ユーザ機器から第２のＢＷＰまたは第３のＢＷＰの最も早い利用可能なスロットでアップリンク制御情報（ＵＣＩ）を受信するように動作する受信機と、
ＵＣＩを復号するように動作する回路と、
を備え、
第１のＢＷＰのＢＷＰスイッチング期間に送信されるＵＣＩはユーザ機器によってドロップされ、第２または第３のＢＷＰの最も早い利用可能なスロットはユーザ機器によって決定され、ＢＷＰスイッチング期間は、ＢＷＰスイッチング用のＤＣＩがユーザ機器によって受信されるスロットから、ＤＣＩに従って第１のＢＷＰが切り替えられる第２のＢＷＰの開始までである、
基地局。
【０１４１】
（１６）．第２のＢＷＰまたは第３のＢＷＰの最も早い利用可能なスロットは、規格で定められ、またはスロットフォーマットインジケータ（ＳＦＩ）によって指示され、および／または無線リソース制御（ＲＲＣ）によって設定される、（１５）に記載の基地局。
【０１４２】
（１７）．ドロップされたＵＣＩは、第２のＢＷＰまたは第３のＢＷＰの最も早い利用可能なスロットにおいて物理アップリンク制御チャネル（ＰＵＣＣＨ）で送信されるか、または第２のＢＷＰまたは第３のＢＷＰの最も早い利用可能なスロットにおいて物理アップリンク共有チャネル（ＰＵＳＣＨ）に多重されて送信される、（１５）に記載の基地局。
【０１４３】
（１８）．ドロップされたＵＣＩを第２のＢＷＰまたは第３のＢＷＰの最も早い利用可能なスロットで送信するためのＰＵＣＣＨのリソース位置は、ＲＲＣ設定、規格の仕様、物理ダウンリンク制御チャネル（ＰＤＣＣＨ）の制御チャネルエレメント（ＣＣＥ）インデックスによる暗黙的指示、ＤＣＩ内のハイブリッド自動再送要求−応答確認（ＨＡＲＱ−ＡＣＫ）リソースインジケータ（ＡＲＩ）による明示的指示、およびＵＥ  ＩＤのうちの１つまたは複数に従って決定される、（１７）に記載の基地局。
【０１４４】
（１９）．ＰＵＳＣＨに多重されるＵＣＩのリソース位置は、規格で定められる、（１７）に記載の基地局。
【０１４５】
（２０）．ＤＣＩは、ダウンリンク（ＤＬ）アサインメント用またはアップリンク（ＵＬ）グラント用である、（１５）に記載の基地局。
【０１４６】
（２１）．ＢＷＰスイッチング用のＤＣＩは、第１のＢＷＰで受信される、（１５）に記載の基地局。
【０１４７】
（２２）．ＢＷＰスイッチング用のＤＣＩは第４のＢＷＰで送信され、第１のＢＷＰおよび第４のＢＷＰは同じスロットに対応する、（１５）に記載の基地局。
【０１４８】
（２３）．第１のＢＷＰは第１のキャリア内にあり、第３のＢＷＰは第２のキャリア内にあり、第１のＢＷＰおよび第３のＢＷＰは同じスロットに対応する、（１５）に記載の基地局。
【０１４９】
（２４）．第３のＢＷＰで受信されるＢＷＰスイッチング用のＤＣＩは存在せず、ならびに／あるいは第１のＢＷＰおよび第３のＢＷＰの一方はＳｃｅｌｌに使用され、他方はＰｃｅｌｌまたは設定済みセルに使用され、ならびに／あるいは第１のＢＷＰおよび第３のＢＷＰの一方が使用されるセルは補助ＵＬ（ＳＵＬ）である、（２３）に記載の基地局。
【０１５０】
（２５）．ＢＷＰスイッチング期間の全てのスロットは、ＢＷＰスイッチングに使用される、（１５）に記載の基地局。
【０１５１】
（２６）．ＢＷＰスイッチング期間においてＢＷＰスイッチングに使用されないスロットで送信されるＵＣＩは、ユーザ機器によってドロップされず、
ＢＷＰスイッチング期間におけるＢＷＰスイッチングに使用されるスロットの数は、規格で定められるか、またはユーザ機器のＢＷＰスイッチングの能力に基づいて設定される、
（１５）に記載の基地局。
【０１５２】
（２７）．準静的コードブックサイズは、ドロップされたＵＣＩを考慮して、第２のＢＷＰまたは第３のＢＷＰの最も早い利用可能なスロットに対して決定される（１５）に記載の基地局。
【０１５３】
（２８）．ＵＣＩは、ＨＡＲＱ−ＡＣＫおよび／またはチャネル状態情報（ＣＳＩ）を含む、（１５）に記載の基地局。
【０１５４】
（２９）．第１の部分帯域（ＢＷＰ）から第２のＢＷＰへのＢＷＰスイッチング用のダウンリンク制御情報（ＤＣＩ）を、基地局からスロット内で受信するステップと、
第１のＢＷＰのＢＷＰスイッチング期間に送信されるアップリンク制御情報（ＵＣＩ）をドロップするステップ、および第２のＢＷＰまたは第３のＢＷＰの最も早い利用可能なスロットを決定するステップであって、ＢＷＰスイッチング期間は、ＢＷＰスイッチング用のＤＣＩが受信されるスロットから、ＤＣＩに従って第１のＢＷＰが切り替えられる第２のＢＷＰの開始までである、ドロップするステップおよび決定するステップと、
第２のＢＷＰまたは第３のＢＷＰの決定された最も早い利用可能なスロットで、ドロップされたＵＣＩを基地局に送信するステップと、
を含む、ユーザ機器のための無線通信方法。
【０１５５】
（３０）．第２のＢＷＰまたは第３のＢＷＰの最も早い利用可能なスロットは、規格で定められ、またはスロットフォーマットインジケータ（ＳＦＩ）によって指示され、および／または無線リソース制御（ＲＲＣ）によって設定される、（２９）に記載の無線通信方法。
【０１５６】
（３１）．ドロップされたＵＣＩは、第２のＢＷＰまたは第３のＢＷＰの最も早い利用可能なスロットにおいて物理アップリンク制御チャネル（ＰＵＣＣＨ）で送信されるか、または第２のＢＷＰまたは第３のＢＷＰの最も早い利用可能なスロットにおいて物理アップリンク共有チャネル（ＰＵＳＣＨ）に多重されて送信される、（２９）に記載の無線通信方法。
【０１５７】
（３２）．ドロップされたＵＣＩを第２のＢＷＰまたは第３のＢＷＰの最も早い利用可能なスロットで送信するためのＰＵＣＣＨのリソース位置は、ＲＲＣ設定、規格の仕様、物理ダウンリンク制御チャネル（ＰＤＣＣＨ）の制御チャネルエレメント（ＣＣＥ）インデックスによる暗黙的指示、ＤＣＩ内のハイブリッド自動再送要求−応答確認（ＨＡＲＱ−ＡＣＫ）リソースインジケータ（ＡＲＩ）による明示的指示、およびＵＥ  ＩＤのうちの１つまたは複数に従って決定される、（３１）に記載の無線通信方法。
【０１５８】
（３３）．ＰＵＳＣＨに多重されるＵＣＩのリソース位置は、規格で定められる、（３１）に記載の無線通信方法。
【０１５９】
（３４）．ＤＣＩは、ダウンリンク（ＤＬ）アサインメント用またはアップリンク（ＵＬ）グラント用である、（２９）に記載の無線通信方法。
【０１６０】
（３５）．ＢＷＰスイッチング用のＤＣＩは、第１のＢＷＰで受信される、（２９）に記載の無線通信方法。
【０１６１】
（３６）．ＢＷＰスイッチング用のＤＣＩは第４のＢＷＰで受信され、第１のＢＷＰおよび第４のＢＷＰは同じスロットに対応する、（２９）に記載の無線通信方法。
【０１６２】
（３７）．第１のＢＷＰは第１のキャリア内にあり、第３のＢＷＰは第２のキャリア内にあり、第１のＢＷＰおよび第３のＢＷＰは同じスロットに対応する、（２９）に記載の無線通信方法。
【０１６３】
（３８）．第３のＢＷＰで受信されるＢＷＰスイッチング用のＤＣＩは存在せず、ならびに／あるいは第１のＢＷＰおよび第３のＢＷＰの一方はＳｃｅｌｌに使用され、他方はＰｃｅｌｌまたは設定済みセルに使用され、ならびに／あるいは第１のＢＷＰおよび第３のＢＷＰの一方が使用されるセルは補助ＵＬ（ＳＵＬ）である、（３７）に記載の無線通信方法。
【０１６４】
（３９）．ＢＷＰスイッチング期間の全てのスロットは、ＢＷＰスイッチングに使用される、（２９）に記載の無線通信方法。
【０１６５】
（４０）．ＢＷＰスイッチング期間においてＢＷＰスイッチングに使用されないスロットで送信されるＵＣＩは、ユーザ機器によってドロップされず、
ＢＷＰスイッチング期間におけるＢＷＰスイッチングに使用されるスロットの数は、規格で定められるか、またはユーザ機器のＢＷＰスイッチングの能力に基づいて設定される、
（２９）に記載の無線通信方法。
【０１６６】
（４１）．準静的コードブックサイズは、ドロップされたＵＣＩを考慮して、第２のＢＷＰまたは第３のＢＷＰの最も早い利用可能なスロットに対して決定される（２９）に記載の無線通信方法。
【０１６７】
（４２）．ＵＣＩは、ＨＡＲＱ−ＡＣＫおよび／またはチャネル状態情報（ＣＳＩ）を含む、（２９）に記載の無線通信方法。
【０１６８】
（４３）．第１の部分帯域（ＢＷＰ）から第２のＢＷＰへのＢＷＰスイッチング用のダウンリンク制御情報（ＤＣＩ）を、ユーザ機器にスロット内で送信するステップと、
ユーザ機器から第２のＢＷＰまたは第３のＢＷＰの最も早い利用可能なスロットでアップリンク制御情報（ＵＣＩ）を受信するステップと、
ＵＣＩを復号するステップと、
を含み、
第１のＢＷＰのＢＷＰスイッチング期間に送信されるＵＣＩはユーザ機器によってドロップされ、第２または第３のＢＷＰの最も早い利用可能なスロットはユーザ機器によって決定され、ＢＷＰスイッチング期間は、ＢＷＰスイッチング用のＤＣＩがユーザ機器によって受信されるスロットから、ＤＣＩに従って第１のＢＷＰが切り替えられる第２のＢＷＰの開始までである、
基地局のための無線通信方法。
【０１６９】
（４４）．第２のＢＷＰまたは第３のＢＷＰの最も早い利用可能なスロットは、規格で定められ、またはスロットフォーマットインジケータ（ＳＦＩ）によって指示され、および／または無線リソース制御（ＲＲＣ）によって設定される、（４３）に記載の無線通信方法。
【０１７０】
（４５）．ドロップされたＵＣＩは、第２のＢＷＰまたは第３のＢＷＰの最も早い利用可能なスロットにおいて物理アップリンク制御チャネル（ＰＵＣＣＨ）で送信されるか、または第２のＢＷＰまたは第３のＢＷＰの最も早い利用可能なスロットにおいて物理アップリンク共有チャネル（ＰＵＳＣＨ）に多重されて送信される、（４３）に記載の無線通信方法。
【０１７１】
（４６）．ドロップされたＵＣＩを第２のＢＷＰまたは第３のＢＷＰの最も早い利用可能なスロットで送信するためのＰＵＣＣＨのリソース位置は、ＲＲＣ設定、規格の仕様、物理ダウンリンク制御チャネル（ＰＤＣＣＨ）の制御チャネルエレメント（ＣＣＥ）インデックスによる暗黙的指示、ＤＣＩ内のハイブリッド自動再送要求−応答確認（ＨＡＲＱ−ＡＣＫ）リソースインジケータ（ＡＲＩ）による明示的指示、およびＵＥ  ＩＤのうちの１つまたは複数に従って決定される、（４５）に記載の無線通信方法。
【０１７２】
（４７）．ＰＵＳＣＨに多重されるＵＣＩのリソース位置は、規格で定められる、（４５）に記載の無線通信方法。
【０１７３】
（４８）．ＤＣＩは、ダウンリンク（ＤＬ）アサインメント用またはアップリンク（ＵＬ）グラント用である、（４３）に記載の無線通信方法。
【０１７４】
（４９）．ＢＷＰスイッチング用のＤＣＩは、第１のＢＷＰで送信される、（４３）に記載の無線通信方法。
【０１７５】
（５０）．ＢＷＰスイッチング用のＤＣＩは第４のＢＷＰで受信され、第１のＢＷＰおよび第４のＢＷＰは同じスロットに対応する、（４３）に記載の無線通信方法。
【０１７６】
（５１）．第１のＢＷＰは第１のキャリア内にあり、第３のＢＷＰは第２のキャリア内にあり、第１のＢＷＰおよび第３のＢＷＰは同じスロットに対応する、（４３）に記載の無線通信方法。
【０１７７】
（５２）．第３のＢＷＰで受信されるＢＷＰスイッチング用のＤＣＩは存在せず、ならびに／あるいは第１のＢＷＰおよび第３のＢＷＰの一方はＳｃｅｌｌに使用され、他方はＰｃｅｌｌまたは設定済みセルに使用され、ならびに／あるいは第１のＢＷＰおよび第３のＢＷＰの一方が使用されるセルは補助ＵＬ（ＳＵＬ）である、（５１）に記載の無線通信方法。
【０１７８】
（５３）．ＢＷＰスイッチング期間の全てのスロットは、ＢＷＰスイッチングに使用される、（４３）に記載の無線通信方法。
【０１７９】
（５４）．ＢＷＰスイッチング期間においてＢＷＰスイッチングに使用されないスロットで送信されるＵＣＩは、ユーザ機器によってドロップされず、
ＢＷＰスイッチング期間におけるＢＷＰスイッチングに使用されるスロットの数は、規格で定められるか、またはユーザ機器のＢＷＰスイッチングの能力に基づいて設定される、
（４３）に記載の無線通信方法。
【０１８０】
（５５）．準静的コードブックサイズは、ドロップされたＵＣＩを考慮して、第２のＢＷＰまたは第３のＢＷＰの最も早い利用可能なスロットに対して決定される（４３）に記載の無線通信方法。
【０１８１】
（５６）．ＵＣＩは、ＨＡＲＱ−ＡＣＫおよび／またはチャネル状態情報（ＣＳＩ）を含む、（４３）に記載の無線通信方法。
【図１】
2021514552.tif 000003
【図２】
2021514552.tif 000004
【図３】
2021514552.tif 000005
【図４】
2021514552.tif 000006
【図５】
2021514552.tif 000007
【図６】
2021514552.tif 000008
【図７】
2021514552.tif 000009
【図８】
2021514552.tif 000010
【図９】
2021514552.tif 000011
【図１０】
2021514552.tif 000012
【図１１】
2021514552.tif 000013
【図１２】
2021514552.tif 000014
【図１３】
2021514552.tif 000015
【図１４】
2021514552.tif 000016
【図１５】
2021514552.tif 000017
【国際調査報告】
2021514552.tif 000018
2021514552.tif 000019